(57)【要約】無線送受信ユニット（ＷＴＲＵ）は、１つまたは複数のＷＵＲ受信機のために、ウェイクアップ無線（ＷＵＲ）を実行するように構成できる。例えば、ＷＴＲＵは、第１の周波数範囲を使用して、共通プリアンブルを第１のＷＵＲ受信機に送信できる。ＷＴＲＵは、共通プリアンブルの後に、第１のＷＵＲパケットをＷＵＲ受信機に送信できる。ＷＴＲＵは、第２の周波数範囲を使用して、共通プリアンブルを第２のＷＵＲ受信機に送信できる。ＷＴＲＵは、共通プリアンブルの後に、第２のＷＵＲパケットを送信できる。第２のＷＵＲパケットと関連付けられた帯域幅および第１のＷＵＲパケットと関連付けられた帯域幅は、共通プリアンブルと関連付けられた帯域幅よりも小さいことができ、そのことは、他の送信機（例えば、８０２．１１送信機、８０２．１１局、および８０２．１１無線）からの干渉を回避できる。第１のＷＵＲパケットと関連付けられた帯域幅と、第２のＷＵＲパケットと関連付けられた帯域幅は、互いに同じ広がりを持つことができない。
2020520583.tif 000002
【特許請求の範囲】
【請求項１】
メモリと、
プロセッサと
を備えた送信デバイスであって、
第１の周波数範囲を使用して、共通プリアンブルを送信し、
前記第１の周波数範囲を使用する前記共通プリアンブルの後に、第１のウェイクアップ無線（ＷＵＲ）パケットを第１のＷＵＲ受信機に送信し、前記第１のＷＵＲパケットと関連付けられた帯域幅は、前記第１の周波数範囲を使用する前記共通プリアンブルと関連付けられた帯域幅よりも小さく、
第２の周波数範囲を使用して、前記共通プリアンブルを送信し、
前記第２の周波数範囲を使用する前記共通プリアンブルの後に、第２のＷＵＲパケットを第２のＷＵＲ受信機に送信し、前記第２のＷＵＲパケットと関連付けられた帯域幅は、前記第２の周波数範囲を使用する前記共通プリアンブルと関連付けられた帯域幅よりも小さく、前記第２のＷＵＲパケットと関連付けられた周波数範囲は、前記第１のＷＵＲパケットと関連付けられた周波数範囲と異なっている
ように構成された、送信デバイス。
【請求項２】
前記共通プリアンブルの後、直交振幅変調（ＱＡＭ）シンボルを送信するようにさらに構成され、前記ＱＡＭシンボルは、前記第１のＷＵＲパケットと周波数分割多重化される請求項１に記載の送信デバイス。
【請求項３】
前記共通プリアンブルは、ＷＵＲパケットを他の送信機から保護する請求項１に記載の送信デバイス。
【請求項４】
前記第１のＷＵＲパケットは、８０２．１１ｂａプリアンブルと、ＷＵＲ情報とを含む請求項１に記載の送信デバイス。
【請求項５】
前記第１のＷＵＲパケットと関連付けられたＷＵＲ信号は、シーケンスを介して生成され、前記シーケンスは、直交周波数分割多重化（ＯＦＤＭ）されたシンボルと関連付けられたサブキャリアのセットにマッピングされる請求項１に記載の送信デバイス。
【請求項６】
第１の周波数範囲を使用して、共通プリアンブルを送信するステップと、
前記第１の周波数範囲を使用する前記共通プリアンブルの後に、第１のウェイクアップ無線（ＷＵＲ）パケットを第１のＷＵＲ受信機に送信するステップであって、前記第１のＷＵＲパケットと関連付けられた帯域幅は、前記第１の周波数範囲を使用する前記共通プリアンブルと関連付けられた帯域幅よりも小さい、ステップと、
第２の周波数範囲を使用して、前記共通プリアンブルを送信するステップと、
前記第２の周波数範囲を使用する前記共通プリアンブルの後に、第２のＷＵＲパケットを第２のＷＵＲ受信機に送信するステップであって、前記第２のＷＵＲパケットと関連付けられた帯域幅は、前記第２の周波数範囲を使用する前記共通プリアンブルと関連付けられた帯域幅よりも小さく、前記第２のＷＵＲパケットと関連付けられた周波数範囲は、前記第１のＷＵＲパケットと関連付けられた周波数範囲と異なる、ステップと
を備える方法。
【請求項７】
前記共通プリアンブルの後、直交振幅変調（ＱＡＭ）シンボルを送信するステップをさらに備え、前記ＱＡＭシンボルは、前記第１のＷＵＲパケットと周波数分割多重化される請求項６に記載の方法。
【請求項８】
前記共通プリアンブルは、ＷＵＲパケットを他の送信機から保護する請求項６に記載の方法。
【請求項９】
前記第１のＷＵＲパケットは、８０２．１１ｂａプリアンブルと、ＷＵＲ情報とを含む請求項６に記載の方法。
【請求項１０】
前記第１のＷＵＲパケットと関連付けられたＷＵＲ信号は、シーケンスを介して生成され、前記シーケンスは、直交周波数分割多重化（ＯＦＤＭ）されたシンボルと関連付けられたサブキャリアのセットにマッピングされる請求項６に記載の方法。
【発明の詳細な説明】
【技術分野】
【０００１】
本出願は、２０１７年５月２日に出願された米国特許仮出願第６２／５００２０４号明細書、および２０１７年１１月１日に出願された米国特許仮出願第６２／５８００１５号明細書の利益を主張し、それらの内容は、参照によって本明細書に組み込まれる。
【背景技術】
【０００２】
無線ローカルエリアネットワーク（ＷＬＡＮ）は、インフラストラクチャ基本サービスセット（ＢＳＳ）モード、および独立ＢＳＳ（ＩＢＳＳ）モードなど、動作の複数のモードを有することができる。インフラストラクチャＢＳＳモードにあるＷＬＡＮは、ＢＳＳのためのアクセスポイント（ＡＰ）を有することができる。１つまたは複数の無線送受信ユニット（ＷＴＲＵ）、例えば局（ＳＴＡ）は、ＡＰと関連付けることができる。アクセスポイントは、トラフィックをＢＳＳ内およびＢＳＳ外に搬送する、ディストリビューションシステム（ＤＳ）または他のタイプの有線／無線ネットワークへのアクセスまたはインターフェースを有することができる。ＢＳＳ外部から発信されたＳＴＡへのトラフィックは、トラフィックをＳＴＡに配送することができるＡＰを通して到着することができる。あるＷＬＡＮシステムにおいては、ＳＴＡからＳＴＡへの通信が、生じることができる。あるＷＬＡＮシステムでは、ＡＰは、ＳＴＡの役割で、またはＳＴＡは、ＡＰの役割を行うことができる。ＷＬＡＮデバイスによって、ビームフォーミングを使用できる。
【発明の概要】
【発明が解決しようとする課題】
【０００３】
信号用の整形シーケンスを決定するための、システム、方法および手段が、開示される。
【課題を解決するための手段】
【０００４】
信号用の整形シーケンスを決定するための、システム、方法、および手段が、開示される。信号は、ウェイクアップ無線（ＷＵＲ）信号を含むことができる。信号は、整形シーケンスに基づいて、生成することができる。信号の生成は、直交周波数分割多重（ＯＦＤＭ）のサブキャリアのセットを使用することを含むことができる。信号の生成は、離散フーリエ変換（ＤＦＴ）−拡散操作を使用することを含むことができる。複数の整形された信号は、時間領域または周波数領域において、生成することができる。生成された整形された信号は、時間領域または周波数領域において、多重化することができる。
【０００５】
無線送受信ユニット（ＷＴＲＵ）は、１つまたは複数のＷＵＲ受信機のために、ウェイクアップ無線（ＷＵＲ）を実行するように構成することができる。例えば、ＷＴＲＵは、第１の周波数範囲を使用して、共通プリアンブルを第１のＷＵＲ受信機に送信することができる。ＷＴＲＵは、共通プリアンブルの後に、第１のＷＵＲパケットをＷＵＲ受信機に送信することができる。ＷＴＲＵは、第２の周波数範囲を使用して、共通プリアンブルを第２のＷＵＲ受信機に送信することができる。ＷＴＲＵは、共通プリアンブルの後に、第２のＷＵＲパケットを送信することができる。第２のＷＵＲパケットと関連付けられた帯域幅、および第１のＷＵＲパケットと関連付けられた帯域幅は、共通プリアンブルと関連付けられた帯域幅よりも小さいことができ、そのことは、他の送信機（例えば、８０２．１１送信機、８０２．１１局、および８０２．１１無線）からの干渉を回避することができる。第１のＷＵＲパケットと関連付けられた帯域幅と、第２のＷＵＲパケットと関連付けられた帯域幅は、互いに同じ広がりをもつことができない。
【図面の簡単な説明】
【０００６】
【図１Ａ】１つ以上の実施形態を実施できる例示的な通信システムを示す図である。
【図１Ｂ】実施形態に従った、図１Ａに示される通信システム内において使用できる、例示的な無線送受信ユニットを示すシステム図である。
【図１Ｃ】実施形態に従った、図１Ａの通信システム内で使用できる、例示的無線アクセスネットワーク、コアネットワークを示すシステム図である。
【図１Ｄ】実施形態に従った、図１Ａの通信システム内において使用できる、さらなる例示的なＲＡＮおよびＣＮを示すシステム図である。
【図２】８０２．１１ｎについての直交周波数分割多重シンボルの例示的マスキングを示す図である。
【図３】オン−オフ変調シンボルのための２シンボルＯＦＤＭの例を示す図である。
【図４】例示的な非ＯＦＤＭベースの手法を示す図である。
【図５】ＯＦＤＭシンボルをマスクすることに起因する、他のサブキャリアの例示的な干渉を示す図である。
【図６】マルチユーザウェイクアップ無線（ＷＵＲ）の例示的共存を示す図である。
【図７】ＯＦＤＭについての例示的な整形シーケンスを示す図である。
【図８】例示的な離散フーリエ変換（ＤＦＴ）−拡散ベース整形シーケンスおよびＯＦＤＭ送信における整形シーケンスとデータとの多重化を示す図である。
【図９】低電力サイクリックプレフィックス（ＣＰ）の場合のＤＦＴ−拡散ベース整形シーケンスを用いるマンチェスタ符号化ＯＯＫ信号構築の例を示す図である。
【図１０】特定のＣＰを考慮しない、ＤＦＴ−拡散ベース整形シーケンスを用いるマンチェスタ符号化ＯＯＫ信号形状構築について例を示す図である。
【図１１】ＣＰを考慮した、ＤＦＴ−拡散ベース整形シーケンスを用いるマンチェスタ符号化ＯＯＫ信号形状構築についての例を示す図である。
【図１２】周波数で量子化されたアルファベットを使用する直接ＯＯＫの図である。
【図１３】１６直交振幅変調（ＱＡＭ）の例示的なインデックスを示す図である。
【図１４】６４ＱＡＭについての例示的なインデックスを示す図である。
【図１５】２５６ＱＡＭについての例示的なインデックスを示す図である。
【図１６】ビット誤り率、ＯＯＢ発射、１６ＱＡＭコンスタレーションを用い直接ＯＯＫで生成されるビット１、０についての対応する時間領域形状の例を示す図である。
【図１７】ＢＥＲ、ＯＯＢ発射、６４ＱＡＭコンスタレーションを用いて直接ＯＯＫで生成されるビット１、０についての対応する時間領域形状の例を示す図である。
【図１８】ＢＥＲ、ＯＯＢ発射、２５６ＱＡＭコンスタレーションを用いて直接ＯＯＫで生成されるビット１、０についての対応する時間領域形状の例を示す図である。
【図１９】例示的なマルチバンド直接ＯＯＫを示す図である。
【図２０】マスキングを用いるＯＯＫシンボル生成の例示的な図である。
【図２１】循環シフトを用いた場合、用いない場合の例示的結果を示す図である。
【図２２】低ＯＯＢ発射を伴った例示的な低レート波形を示す図である。
【図２３】他の８０２．１１シンボルと共存するマルチユーザＷＵＲの図である。
【図２４】ＤＦＴベースの時分割多重化されたＯＯＫシンボルを用いた、３つの異なるＳＴＡについて３つのＯＯＫシンボルを多重化する例を示す図である。
【図２５】ＤＦＴベースのシーケンスを用いた、３つの異なるＳＴＡについて３つのＯＯＫシンボルを多重化する例を示す図である。
【図２６】ＤＦＴベースのシーケンスを用いた、２つの異なるＳＴＡについて３つのＯＯＫシンボルを周波数において多重化する例を示す図である。
【図２７】時間領域多重化を用いた例示的なＭＵ−ＷＵＲ信号１を示す図である。
【図２８】周波数領域多重化を用いた例示的なＭＵ−ＷＵＲ信号２を示す図である。
【図２９】時間領域多重化を用いた例示的なＭＵ−ＷＵＲ信号４を示す図である。
【図３０】周波数領域多重化を用いた例示的なＭＵ−ＷＵＲ信号４を示す図である。
【図３１】周波数領域多重化を用いた例示的なＭＵ−ＷＵＲ信号２を示す図である。
【図３２】時間領域多重化を用いた例示的なＭＵ−ＷＵＲ信号３を示す図である。
【図３３】共通ＷＵＲ信号における例示的なＭＵ−ＷＵＲ信号４を示す図である。
【図３４】共通、ＳＴＡ固有のＷＵＲ信号で例示的ＭＵ−ＷＵＲ信号５の図である。
【図３５】ＳＴＡ固有のＷＵＲ信号における例示的ＭＵ−ＷＵＲ信号６の図である。
【発明を実施するための形態】
【０００７】
説明的な実施形態の詳細な説明が、様々な図を参照して、今から行われる。この説明は、可能な実施の詳細な例を提供するが、詳細は、例示的であることが意図されており、本出願の範囲を決して限定しないことが留意されるべきである。
【０００８】
図１Ａは、１つまたは複数の開示される実施形態を実施することができる、例示的な通信システム１００を示す図である。通信システム１００は、音声、データ、ビデオ、メッセージング、放送などのコンテンツを複数の無線ユーザに提供する、多元接続システムであることができる。通信システム１００は、複数の無線ユーザが、無線帯域幅を含むシステムリソースの共用を通して、そのようなコンテンツにアクセスすることを可能にすることができる。例えば、通信システム１００は、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、シングルキャリアＦＤＭＡ（ＳＣ−ＦＤＭＡ）、ゼロテールユニークワードＤＦＴ拡散ＯＦＤＭ（ＺＴ  ＵＷ  ＤＴＳ−ｓ  ＯＦＤＭ）、ユニークワードＯＦＤＭ（ＵＷ−ＯＦＤＭ）、リソースブロックフィルタードＯＦＤＭ、およびフィルタバンクマルチキャリア（ＦＢＭＣ）など、１つまたは複数のチャネルアクセス方法を利用することができる。
【０００９】
図１Ａに示されるように、通信システム１００は、無線送受信ユニット（ＷＴＲＵ）１０２ａ、１０２ｂ、１０２ｃ、１０２ｄと、ＲＡＮ１０４／１１３と、ＣＮ１０６／１１５と、公衆交換電話網（ＰＳＴＮ）１０８と、インターネット１１０と、他のネットワーク１１２とを含むことができるが、開示される実施形態は、任意の数のＷＴＲＵ、基地局、ネットワーク、および／またはネットワーク要素を企図していることが理解されよう。ＷＴＲＵ１０２ａ、１０２ｂ、１０２ｃ、１０２ｄの各々は、無線環境において動作および／または通信するように構成された任意のタイプのデバイスであることができる。例として、それのどれもが、「局」および／または「ＳＴＡ」と呼ばれることがある、ＷＴＲＵ１０２ａ、１０２ｂ、１０２ｃ、１０２ｄは、無線信号を送信および／または受信するように構成することができ、ユーザ機器（ＵＥ）、移動局、固定または移動加入者ユニット、サブスクリクションベースのユニット、ページャ、セルラ電話、パーソナルデジタルアシスタント（ＰＤＡ）、スマートフォン、ラップトップ、ネットブック、パーソナルコンピュータ、無線センサ、ホットスポットまたはＭｉ−Ｆｉデバイス、モノノインターネット（ＩｏＴ）デバイス、ウォッチまたは他のウェアラブル、ヘッドマウントディスプレイ（ＨＭＤ）、乗物、ドローン、医療用デバイスおよびアプリケーション（例えば、遠隔手術）、工業用デバイスおよびアプリケーション（例えば、工業用および／または自動化された処理チェーン状況において動作するロボットおよび／または他の無線デバイス）、家電デバイス、ならびに商業用および／または工業用無線ネットワーク上において動作するデバイスなどを含むことができる。ＷＴＲＵ１０２ａ、１０２ｂ、１０２ｃ、１０２ｄのいずれも、交換可能に、ＵＥと呼ばれることがある。
【００１０】
通信システム１００は、基地局１１４ａおよび／または基地局１１４ｂも含むことができる。基地局１１４ａ、１１４ｂの各々は、ＣＮ１０６／１１５、インターネット１１０、および／または他のネットワーク１１２など、１つまたは複数の通信ネットワークへのアクセスを容易にするために、ＷＴＲＵ１０２ａ、１０２ｂ、１０２ｃ、１０２ｄのうちの少なくとも１つと無線でインターフェースをとるように構成された任意のタイプのデバイスであることができる。例として、基地局１１４ａ、１１４ｂは、基地送受信機局（ＢＴＳ）、ノードＢ、ｅノードＢ、ホームノードＢ、ホームｅノードＢ、ｇＮＢ、ＮＲノードＢ、サイトコントローラ、アクセスポイント（ＡＰ）、および無線ルータなどであることができる。基地局１１４ａ、１１４ｂは、各々が、単一の要素として描かれているが、基地局１１４ａ、１１４ｂは、任意の数の相互接続された基地局および／またはネットワーク要素を含むことができることが理解されよう。
【００１１】
基地局１１４ａは、ＲＡＮ１０４／１１３の一部であることができ、ＲＡＮ１０４／１１３は、他の基地局、および／または基地局コントローラ（ＢＳＣ）、無線ネットワークコントローラ（ＲＮＣ）、中継ノードなどのネットワーク要素（図示されず）も含むことができる。基地局１１４ａおよび／または基地局１１４ｂは、セル（図示されず）と呼ばれることがある、１つまたは複数のキャリア周波数上において、無線信号を送信および／または受信するように構成することができる。これらの周波数は、免許要スペクトル、免許不要スペクトル、または免許要スペクトルと免許不要スペクトルとの組み合わせの中にあることができる。セルは、相対的に一定であることができる、または時間とともに変化することができる特定の地理的エリアに、無線サービス用のカバレージを提供することができる。セルは、さらに、セルセクタに分割することができる。例えば、基地局１１４ａと関連付けられたセルは、３つのセクタに分割することができる。したがって、一実施形態においては、基地局１１４ａは、送受信機を３つ、すなわち、セルの各セクタに対して１つずつ含むことがで    きる。実施形態においては、基地局１１４ａは、多入力多出力（ＭＩＭＯ）技術を利用することができ、セルの各セクタに対して複数の送受信機を利用することができる。例えば、所望の空間方向において信号を送信および／または受信するために、ビームフォーミングを使用することができる。
【００１２】
基地局１１４ａ、１１４ｂは、エアインターフェース１１６上において、ＷＴＲＵ１０２ａ、１０２ｂ、１０２ｃ、１０２ｄのうちの１つまたは複数と通信することができ、エアインターフェース１１６は、任意の適切な無線通信リンク（例えば、無線周波（ＲＦ）、マイクロ波、センチメートル波、マイクロメートル波、赤外線（ＩＲ）、紫外線（ＵＶ）、可視光など）であることができる。エアインターフェース１１６は、任意の適切な無線アクセス技術（ＲＡＴ）を使用して、確立することができる。
【００１３】
より具体的には、上で言及されたように、通信システム１００は、多元接続システムであることができ、ＣＤＭＡ、ＴＤＭＡ、ＦＤＭＡ、ＯＦＤＭＡ、およびＳＣ−ＦＤＭＡなど、１つまたは複数のチャネルアクセス方式を利用することができる。例えば、ＲＡＮ１０４／１１３内の基地局１１４ａと、ＷＴＲＵ１０２ａ、１０２ｂ、１０２ｃは、広帯域ＣＤＭＡ（ＷＣＤＭＡ）を使用して、エアインターフェース１１５／１１６／１１７を確立することができる、ユニバーサル移動体通信システム（ＵＭＴＳ）地上無線アクセス（ＵＴＲＡ）などの無線技術を実施できる。ＷＣＤＭＡは、高速パケットアクセス（ＨＳＰＡ）および／または進化型ＨＳＰＡ（ＨＳＰＡ＋）などの通信プロトコルを含むことができる。ＨＳＰＡは、高速ダウンリンク（ＤＬ）パケットアクセス（ＨＳＤＰＡ）、および／または高速アップリンク（ＵＬ）パケットアクセス（ＨＳＵＰＡ）を含むことができる。
【００１４】
実施形態においては、基地局１１４ａと、ＷＴＲＵ１０２ａ、１０２ｂ、１０２ｃは、ロングタームエボリューション（ＬＴＥ）、および／またはＬＴＥアドバンスト（ＬＴＥ−Ａ）、および／またはＬＴＥアドバンストプロ（ＬＴＥ−Ａ  Ｐｒｏ）を使用して、エアインターフェース１１６を確立することができる、進化型ＵＭＴＳ地上無線アクセス（Ｅ−ＵＴＲＡ）などの無線技術を実施することができる。
【００１５】
実施形態においては、基地局１１４ａと、ＷＴＲＵ１０２ａ、１０２ｂ、１０２ｃは、ニューラジオ（ＮＲ）を使用して、エアインターフェース１１６を確立することができる、ＮＲ無線アクセスなどの無線技術を実施することができる。
【００１６】
実施形態においては、基地局１１４ａと、ＷＴＲＵ１０２ａ、１０２ｂ、１０２ｃは、複数の無線アクセス技術を実施することができる。例えば、基地局１１４ａと、ＷＴＲＵ１０２ａ、１０２ｂ、１０２ｃは、例えば、デュアルコネクティビティ（ＤＣ）原理を使用して、ＬＴＥ無線アクセスと、ＮＲ無線アクセスとを一緒に実施することができる。したがって、ＷＴＲＵ１０２ａ、１０２ｂ、１０２ｃによって利用されるエアインターフェースは、複数のタイプの無線アクセス技術、ならびに／または複数のタイプの基地局（例えば、ｅＮＢおよびｇＮＢ）に／から送信される送信によって特徴付けることができる。
【００１７】
他の実施形態においては、基地局１１４ａと、ＷＴＲＵ１０２ａ、１０２ｂ、１０２ｃは、ＩＥＥＥ８０２．１１（すなわちワイヤレスフィデリティ:ＷｉＦｉ）、ＩＥＥＥ８０２．１６（すなわちマイクロ波アクセス用世界的相互運用性（ＷｉＭＡＸ））、ＣＤＭＡ２０００、ＣＤＭＡ２０００  １Ｘ、ＣＤＭＡ２０００  ＥＶ−ＤＯ、暫定標準２０００（ＩＳ−２０００）、暫定標準９５（ＩＳ−９５）、暫定標準８５６（ＩＳ−８５６）、移動体通信用グローバルシステム（ＧＳＭ）、ＧＳＭエボリューション用高速データレート（ＥＤＧＥ）、およびＧＳＭ  ＥＤＧＥ（ＧＥＲＡＮ）などの無線技術を実施することができる。
【００１８】
図１Ａにおける基地局１１４ｂは、例えば、無線ルータ、ホームノードＢ、ホームｅノードＢ、またはアクセスポイントであることができ、事業所、自宅、乗物、キャンパス、産業用施設、（例えば、ドローンによって使用される）エアコリド、および車道など、局所化されたエリアにおける無線接続性を容易にするために、任意の適切なＲＡＴを利用することができる。一実施形態においては、基地局１１４ｂと、ＷＴＲＵ１０２ｃ、１０２ｄは、ＩＥＥＥ８０２．１１などの無線技術を実施して、無線ローカルエリアネットワーク（ＷＬＡＮ）を確立することができる。実施形態においては、基地局１１４ｂと、ＷＴＲＵ１０２ｃ、１０２ｄは、ＩＥＥＥ８０２．１５などの無線技術を実施して、無線パーソナルエリアネットワーク（ＷＰＡＮ）を確立することができる。また別の実施形態においては、基地局１１４ｂと、ＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａ、ＬＴＥ−Ａ  Ｐｒｏ、ＮＲなど）を利用して、ピコセルまたはフェムトセルを確立することができる。図１Ａに示されるように、基地局１１４ｂは、インターネット１１０への直接的な接続を有することができる。したがって、基地局１１４ｂは、ＣＮ１０６／１１５を介してインターネット１１０にアクセスする必要がないことがある。
【００１９】
ＲＡＮ１０４／１１３は、ＣＮ１０６／１１５と通信することができ、ＣＮ１０６／１１５は、音声、データ、アプリケーション、および／またはボイスオーバインターネットプロトコル（ＶｏＩＰ）サービスを、ＷＴＲＵ１０２ａ、１０２ｂ、１０２ｃ、１０２ｄのうちの１つまたは複数に提供するように構成された任意のタイプのネットワークであることができる。データは、異なるスループット要件、遅延要件、エラー耐性要件、信頼性要件、データスループット要件、およびモビリティ要件など、様々なサービス品質（ＱｏＳ）要件を有することができる。ＣＮ１０６／１１５は、呼制御、ビリングサービス、モバイルロケーションベースのサービス、プリペイド発呼、インターネット接続性、ビデオ配信などを提供することができ、および／またはユーザ認証など、高レベルセキュリティ機能を実行することができる。図１Ａには示されていないが、ＲＡＮ１０４／１１３および／またはＣＮ１０６／１１５は、ＲＡＮ１０４／１１３と同じＲＡＴまたは異なるＲＡＴを利用する他のＲＡＮと直接的または間接的通信を行うことができることが理解されよう。例えば、ＮＲ無線技術を利用していることがあるＲＡＮ１０４／１１３に接続されていることに加えて、ＣＮ１０６／１１５は、ＧＳＭ、ＵＭＴＳ、ＣＤＭＡ２０００、ＷｉＭＡＸ、Ｅ−ＵＴＲＡ、またはＷｉＦｉ無線技術を利用する別のＲＡＮ（図示されず）とも通信することができる。
【００２０】
ＣＮ１０６／１１５は、ＷＴＲＵ１０２ａ、１０２ｂ、１０２ｃ、１０２ｄが、ＰＳＴＮ１０８、インターネット１１０、および／または他のネットワーク１１２にアクセスするためのゲートウェイとしての役割も果たすことができる。ＰＳＴＮ１０８は、基本電話サービス（ＰＯＴＳ）を提供する、回線交換電話網を含むことができる。インターネット１１０は、ＴＣＰ／ＩＰインターネットプロトコルスイート内の伝送制御プロトコル（ＴＣＰ）、ユーザデータグラムプロトコル（ＵＤＰ）、および／またはインターネットプロトコル（ＩＰ）など、共通の通信プロトコルを使用する、相互接続されたコンピュータネットワークおよびデバイスからなる地球規模のシステムを含むことができる。ネットワーク１１２は、他のサービスプロバイダによって所有および／または運営される、有線および／または無線通信ネットワークを含むことができる。例えば、ネットワーク１１２は、ＲＡＮ１０４／１１３と同じＲＡＴまたは異なるＲＡＴを利用することができる１つまたは複数のＲＡＮに接続された、別のＣＮを含むことができる。
【００２１】
通信システム１００内のＷＴＲＵ１０２ａ、１０２ｂ、１０２ｃ、１０２ｄのうちのいくつかまたはすべては、マルチモード機能を含むことができる（例えば、ＷＴＲＵ１０２ａ、１０２ｂ、１０２ｃ、１０２ｄは、異なる無線リンク上において、異なる無線ネットワークと通信するための、複数の送受信機を含むことができる）。例えば、図１Ａに示されるＷＴＲＵ１０２ｃは、セルラベースの無線技術を利用することができる基地局１１４ａと通信するように、またＩＥＥＥ８０２無線技術を利用することができる基地局１１４ｂと通信するように構成することができる。
【００２２】
図１Ｂは、例示的なＷＴＲＵ１０２を示すシステム図である。図１Ｂに示されるように、ＷＴＲＵ１０２は、とりわけ、プロセッサ１１８、送受信機１２０、送信／受信要素１２２、スピーカ／マイクロフォン１２４、キーパッド１２６、ディスプレイ／タッチパッド１２８、非リムーバブルメモリ１３０、リムーバブルメモリ１３２、電源１３４、全地球測位システム（ＧＰＳ）チップセット１３６、および／または他の周辺機器１３８を含むことができる。ＷＴＲＵ１０２は、実施形態との整合性を保ちながら、上記の要素の任意のサブコンビネーションを含むことができることが理解されよう。
【００２３】
プロセッサ１１８は、汎用プロセッサ、専用プロセッサ、従来型プロセッサ、デジタル信号プロセッサ（ＤＳＰ）、複数のマイクロプロセッサ、ＤＳＰコアと連携する１つまたは複数のマイクロプロセッサ、コントローラ、マイクロコントローラ、特定用途向け集積回路（ＡＳＩＣ）、フィールドプログラマブルゲートアレイ（ＦＰＧＡ）回路、他の任意のタイプの集積回路（ＩＣ）、および状態機械などであることができる。プロセッサ１１８は、信号符号化、データ処理、電力制御、入力／出力処理、および／またはＷＴＲＵ１０２が無線環境において動作することを可能にする他の任意の機能性を実行することができる。プロセッサ１１８は、送受信機１２０に結合することができ、送受信機１２０は、送信／受信要素１２２に結合することができる。図１Ｂは、プロセッサ１１８と送受信機１２０を別個の構成要素として描いているが、プロセッサ１１８と送受信機１２０は、電子パッケージまたはチップ内に一緒に統合することができることが理解されよう。
【００２４】
送信／受信要素１２２は、エアインターフェース１１６上において、基地局（例えば、基地局１１４ａ）に信号を送信し、または基地局から信号を受信するように構成することができる。例えば、一実施形態においては、送信／受信要素１２２は、ＲＦ信号を送信および／または受信するように構成されたアンテナであることができる。実施形態においては、送信／受信要素１２２は、例えば、ＩＲ、ＵＶ、または可視光信号を送信および／または受信するように構成された放射器／検出器であることができる。また別の実施形態においては、送信／受信要素１２２は、ＲＦ信号および光信号の両方を送信および／または受信するように構成することができる。送信／受信要素１２２は、無線信号の任意の組み合わせを送信および／または受信するように構成することができることが理解されよう。
【００２５】
図１Ｂにおいては、送信／受信要素１２２は単一の要素として描かれているが、ＷＴＲＵ１０２は、任意の数の送信／受信要素１２２を含むことができる。より具体的には、ＷＴＲＵ１０２はＭＩＭＯ技術を利用することができる。したがって一実施形態では、ＷＴＲＵ１０２は、エアインターフェース１１６上において無線信号を送信および受信するための２つ以上の送信／受信要素１２２（例えば、複数のアンテナ）を含むことができる。
【００２６】
送受信機１２０は、送信／受信要素１２２によって送信されることになる信号を変調し、送信／受信要素１２２によって受信された信号を復調するように構成することができる。上で言及されたように、ＷＴＲＵ１０２は、マルチモード機能を有することができる。したがって、送受信機１２０は、ＷＴＲＵ１０２が、例えば、ＮＲおよびＩＥＥＥ８０２．１１など、複数のＲＡＴを介して通信することを可能にするための、複数の送受信機を含むことができる。
【００２７】
ＷＴＲＵ１０２のプロセッサ１１８は、スピーカ／マイクロフォン１２４、キーパッド１２６、および／またはディスプレイ／タッチパッド１２８（例えば、液晶表示（ＬＣＤ）ディスプレイユニットもしくは有機発光ダイオード（ＯＬＥＤ）ディスプレイユニット）に結合することができ、それらからユーザ入力データを受信することができる。プロセッサ１１８は、スピーカ／マイクロフォン１２４、キーパッド１２６、および／またはディスプレイ／タッチパッド１２８にユーザデータを出力することもできる。加えて、プロセッサ１１８は、非リムーバブルメモリ１３０および／またはリムーバブルメモリ１３２など、任意のタイプの適切なメモリから情報を入手することができ、それらにデータを記憶することができる。非リムーバブルメモリ１３０は、ランダムアクセスメモリ（ＲＡＭ）、リードオンリメモリ（ＲＯＭ）、ハードディスク、または他の任意のタイプのメモリ記憶デバイスを含むことができる。リムーバブルメモリ１３２は、加入者識別モジュール（ＳＩＭ）カード、メモリスティック、およびセキュアデジタル（ＳＤ）メモリカードなどを含むことができる。他の実施形態においては、プロセッサ１１８は、サーバまたはホームコンピュータ（図示されず）上などに配置された、ＷＴＲＵ１０２上に物理的に配置されていないメモリから情報を入手することができ、それらにデータを記憶することができる。
【００２８】
プロセッサ１１８は、電源１３４から電力を受け取ることができ、ＷＴＲＵ１０２内の他の構成要素に電力を分配するように、および／またはそれらへの電力を制御するように構成することができる。電源１３４は、ＷＴＲＵ１０２に給電するための任意の適切なデバイスであることができる。例えば、電源１３４は、１つまたは複数の乾電池（例えば、ニッケル−カドミウム（ＮｉＣｄ）、ニッケル−亜鉛（ＮｉＺｎ）、ニッケル水素（ＮｉＭＨ）、リチウム−イオン（Ｌｉ−ｉｏｎ）など）、太陽電池、および燃料電池などを含むことができる。
【００２９】
プロセッサ１１８は、ＧＰＳチップセット１３６にも結合することができ、ＧＰＳチップセット１３６は、ＷＴＲＵ１０２の現在ロケーションに関するロケーション情報（例えば、経度および緯度）を提供するように構成することができる。ＧＰＳチップセット１３６からの情報に加えて、またはそれの代わりに、ＷＴＲＵ１０２は、基地局（例えば、基地局１１４ａ、１１４ｂ）からエアインターフェース１１６上においてロケーション情報を受信することができ、および／または２つ以上の近くの基地局から受信している信号のタイミングに基づいて、自らのロケーションを決定することができる。ＷＴＲＵ１０２は、実施形態との整合性を保ちながら、任意の適切なロケーション決定方法を用いて、ロケーション情報を獲得することができることが理解されよう。
【００３０】
プロセッサ１１８は、さらに他の周辺機器１３８に結合することができ、他の周辺機器１３８は、追加の特徴、機能性、および／または有線もしくは無線接続性を提供する、１つまたは複数のソフトウェアモジュールおよび／またはハードウェアモジュールを含むことができる。例えば、周辺機器１３８は、加速度計、ｅコンパス、衛星送受信機、（写真および／またはビデオ用の）デジタルカメラ、ユニバーサルシリアルバス（ＵＳＢ）ポート、バイブレーションデバイス、テレビ送受信機、ハンズフリーヘッドセット、Ｂｌｕｅｔｏｏｔｈ（登録商標）モジュール、周波数変調（ＦＭ）ラジオユニット、デジタル音楽プレーヤ、メディアプレーヤ、ビデオゲームプレーヤモジュール、インターネットブラウザ、仮想現実および／または拡張現実（ＶＲ／ＡＲ）デバイス、ならびにアクティビティトラッカなどを含むことができる。周辺機器１３８は、１つまたは複数のセンサを含むことができ、センサは、ジャイロスコープ、加速度計、ホール効果センサ、方位センサ、近接センサ、温度センサ、時間センサ、ジオロケーションセンサ、高度計、光センサ、タッチセンサ、磁力計、気圧計、ジェスチャセンサ、バイオメトリックセンサ、および／または湿度センサのうちの１つまたは複数であることができる。
【００３１】
ＷＴＲＵ１０２は、（例えば、（例えば、送信用の）ＵＬと（例えば、受信用の）ダウンリンクの両方のための特定のサブフレームと関連付けられた）信号のいくつかまたはすべての送信および受信が、並列および／または同時であることができる、全二重無線を含むことができる。全二重無線は、ハードウェア（例えば、チョーク）を介して、またはプロセッサ（例えば、別個のプロセッサ（図示されず）もしくはプロセッサ１１８）を介する信号処理を介して、自己干渉を低減させ、および／または実質的に除去するために、干渉管理ユニットを含むことができる。実施形態においては、ＷＴＲＵ１０２は、（例えば、（例えば、送信用の）ＵＬまたは（例えば、受信用の）ダウンリンクのどちらかのための特定のサブフレームと関連付けられた）信号のいくつかまたはすべての送信および受信のための、半二重無線を含むことができる。
【００３２】
図１Ｃは、実施形態に従った、ＲＡＮ１０４およびＣＮ１０６を示すシステム図である。上で言及されたように、ＲＡＮ１０４は、Ｅ−ＵＴＲＡ無線技術を利用して、エアインターフェース１１６上においてＷＴＲＵ１０２ａ、１０２ｂ、１０２ｃと通信することができる。ＲＡＮ１０４は、ＣＮ１０６とも通信することができる。
【００３３】
ＲＡＮ１０４は、ｅノードＢ１６０ａ、１６０ｂ、１６０ｃを含むことができるが、ＲＡＮ１０４は、実施形態との整合性を保ちながら、任意の数のｅノードＢを含むことができることが理解されよう。ｅノードＢ１６０ａ、１６０ｂ、１６０ｃは、各々が、エアインターフェース１１６上においてＷＴＲＵ１０２ａ、１０２ｂ、１０２ｃと通信するための、１つまたは複数の送受信機を含むことができる。一実施形態においては、ｅノードＢ１６０ａ、１６０ｂ、１６０ｃは、ＭＩＭＯ技術を実施することができる。したがって、ｅノードＢ１６０ａは、例えば、複数のアンテナを使用して、ＷＴＲＵ１０２ａに無線信号を送信し、および／またはＷＴＲＵ１０２ａから無線信号を受信することができる。
【００３４】
ｅノードＢ１６０ａ、１６０ｂ、１６０ｃの各々は、特定のセル（図示されず）と関連付けることができ、無線リソース管理決定、ハンドオーバ決定、ならびにＵＬおよび／またはＤＬにおけるユーザのスケジューリングなどを処理するように構成することができる。図１Ｃに示されるように、ｅノードＢ１６０ａ、１６０ｂ、１６０ｃは、Ｘ２インターフェース上において、互いに通信することができる。
【００３５】
図１Ｃに示されるＣＮ１０６は、モビリティ管理エンティティ（ＭＭＥ）１６２と、サービングゲートウェイ（ＳＧＷ）１６４と、パケットデータネットワーク（ＰＤＮ）ゲートウェイ（またはＰＧＷ）１６６とを含むことができる。上記の要素の各々は、ＣＮ１０６の部分として描かれているが、これらの要素のうちのいずれも、ＣＮオペレータとは異なるエンティティによって所有および／または運営できることが理解されよう。
【００３６】
ＭＭＥ１６２は、Ｓ１インターフェースを介して、ＲＡＮ１０４内のｅノードＢ１６０ａ、１６０ｂ、１６０ｃの各々に接続することができ、制御ノードとしての役割を果たすことができる。例えば、ＭＭＥ１６２は、ＷＴＲＵ１０２ａ、１０２ｂ、１０２ｃのユーザを認証すること、ベアラアクティブ化／非アクティブ化、およびＷＴＲＵ１０２ａ、１０２ｂ、１０２ｃの初期アタッチ中に特定のサービングゲートウェイを選択することなどを担うことができる。ＭＭＥ１６２は、ＲＡＮ１０４と、ＧＳＭおよび／またはＷＣＤＭＡなどの他の無線技術を利用する他のＲＡＮ（図示されず）との間における交換のためのコントロールプレーン機能を提供することができる。
【００３７】
ＳＧＷ１６４は、Ｓ１インターフェースを介して、ＲＡＮ１０４内のｅノードＢ１６０ａ、１６０ｂ、１６０ｃの各々に接続することができる。ＳＧＷ１６４は、一般に、ユーザデータパケットをＷＴＲＵ１０２ａ、１０２ｂ、１０２ｃに／からルーティングおよび転送することができる。ＳＧＷ１６４は、ｅノードＢ間ハンドオーバ中にユーザプレーンをアンカリングすること、ＤＬデータがＷＴＲＵ１０２ａ、１０２ｂ、１０２ｃに利用可能なときにページングをトリガすること、ならびにＷＴＲＵ１０２ａ、１０２ｂ、１０２ｃのコンテキストを管理および記憶することなど、他の機能を実行することができる。
【００３８】
ＳＧＷ１６４は、ＰＧＷ１６６に接続することができ、ＰＧＷ１６６は、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。
【００３９】
ＣＮ１０６は、他のネットワークとの通信を容易にすることができる。例えば、ＣＮ１０６は、ＰＳＴＮ１０８など、回線交換ネットワークへのアクセスをＷＴＲＵ１０２ａ、１０２ｂ、１０２ｃに提供して、ＷＴＲＵ１０２ａ、１０２ｂ、１０２ｃと従来の固定電話回線通信デバイスとの間の通信を容易にすることができる。例えば、ＣＮ１０６は、ＣＮ１０６とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１０６は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。
【００４０】
図１Ａ〜図１Ｄにおいては、ＷＴＲＵは、無線端末として説明されるが、ある代表的な実施形態においては、そのような端末は、通信ネットワークとの有線通信インターフェースを（例えば、一時的または永続的に）使用することができることが企図されている。
【００４１】
代表的な実施形態においては、他のネットワーク１１２はＷＬＡＮであることができる。
【００４２】
インフラストラクチャ基本サービスセット（ＢＳＳ）モードにあるＷＬＡＮは、ＢＳＳのためのアクセスポイント（ＡＰ）と、ＡＰと関連付けられた１つまたは複数の局（ＳＴＡ）とを有することができる。ＡＰは、トラフィックをＢＳＳ内および／またはＢＳＳ外に搬送する、ディストリビューションシステム（ＤＳ）または別のタイプの有線／無線ネットワークへのアクセスまたはインターフェースを有することができる。ＢＳＳ外部から発信されたＳＴＡへのトラフィックは、ＡＰを通して到着することができ、ＳＴＡに配送することができる。ＳＴＡからＢＳＳ外部の送信先に発信されたトラフィックは、それぞれの送信先に配送するために、ＡＰに送信することができる。ＢＳＳ内のＳＴＡ間のトラフィックは、ＡＰを通して送信することができ、例えば、送信元ＳＴＡは、トラフィックをＡＰに送信することができ、ＡＰは、トラフィックを送信先ＳＴＡに配送することができる。ＢＳＳ内のＳＴＡ間のトラフィックは、ピアツーピアトラフィックと見なすことができ、および／またはピアツーピアトラフィックと呼ばれることがある。ピアツーピアトラフィックは、直接リンクセットアップ（ＤＬＳ）を用いて、送信元ＳＴＡと送信先ＳＴＡとの間で（例えば、直接的に）送信することができる。ある代表的な実施形態においては、ＤＬＳは、８０２．１１ｅ  ＤＬＳまたは８０２．１１ｚトンネルＤＬＳ（ＴＤＬＳ）を使用することができる。独立ＢＳＳ（ＩＢＳＳ）モードを使用するＷＬＡＮは、ＡＰを有さないことがあり、ＩＢＳＳ内の、またはＩＢＳＳを使用するＳＴＡ（例えば、ＳＴＡのすべて）は、互いに直接的に通信することができる。ＩＢＳＳモードの通信は、本明細書においては、ときに「アドホック」モードの通信と呼ばれることがある。
【００４３】
８０２．１１ａｃインフラストラクチャモードの動作または類似したモードの動作を使用するとき、ＡＰは、プライマリチャネルなどの固定されたチャネル上において、ビーコンを送信できる。プライマリチャネルは、固定された幅（例えば、２０ＭＨｚ幅帯域幅）、またはシグナリングを介して動的に設定された幅であり得る。プライマリチャネルは、ＢＳＳの動作チャネルであることができ、ＡＰとの接続を確立するために、ＳＴＡによって使用することができる。ある代表的な実施形態においては、例えば８０２．１１システムにおいては、キャリアセンス多重アクセス／衝突回避（ＣＳＭＡ／ＣＡ）を実施することができる。ＣＳＭＡ／ＣＡの場合、ＡＰを含むＳＴＡ（例えば、あらゆるＳＴＡ）は、プライマリチャネルをセンスすることができる。プライマリチャネルが、センス／検出され、および／または特定のＳＴＡによってビジーであると決定された場合、特定のＳＴＡは、バックオフすることができる。与えられたＢＳＳ内においては、任意の与えられた時間に、１つのＳＴＡ（例えば、ただ１つのＳＴＡ）が、送信することができる。
【００４４】
高スループット（ＨＴ）ＳＴＡは、例えば、プライマリ２０ＭＨｚチャネルを隣接または非隣接２０ＭＨｚチャネルと組み合わせて、４０ＭＨｚ幅のチャネルを形成することを介して、通信のために４０ＭＨｚ幅チャネルを使用することができる。
【００４５】
超高スループット（ＶＨＴ）ＳＴＡは、２０ＭＨｚ、４０ＭＨｚ、８０ＭＨｚ、および／または１６０ＭＨｚ幅チャネルをサポートすることができる。４０ＭＨｚおよび／または８０ＭＨｚチャネルは、連続する２０ＭＨｚチャネルを組み合わせることによって形成することができる。１６０ＭＨｚチャネルは、８つの連続する２０ＭＨｚチャネルを組み合わせることによって形成することができ、または２つの非連続な８０ＭＨｚチャネルを組み合わせることによって形成することができ、これは、８０＋８０構成と呼ばれることがある。８０＋８０構成の場合、データは、チャネルエンコーディングの後、データを２つのストリームに分割することができるセグメントパーサを通過することができる。各ストリームに対して別々に、逆高速フーリエ変換（ＩＦＦＴ）処理、および時間領域処理を行うことができる。ストリームは、２つの８０ＭＨｚチャネル上にマッピングすることができ、データは、送信ＳＴＡによって送信することができる。受信ＳＴＡの受信機においては、８０＋８０構成のための上で説明された動作を逆転することができ、組み合わされたデータは、媒体アクセス制御（ＭＡＣ）に送信することができる。
【００４６】
１ＧＨｚ未満モードの動作は、８０２．１１ａｆおよび８０２．１１ａｈによってサポートされる。チャネル動作帯域幅およびキャリアは、８０２．１１ｎおよび８０２．１１ａｃにおいて使用されるそれらと比べて、８０２．１１ａｆおよび８０２．１１ａｈにおいては低減させられる。８０２．１１ａｆは、ＴＶホワイトスペース（ＴＶＷＳ）スペクトルにおいて、５ＭＨｚ、１０ＭＨｚ、および２０ＭＨｚ帯域幅をサポートし、８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートする。代表的な実施形態に従うと、８０２．１１ａｈは、マクロカバレージエリアにおけるＭＴＣデバイスなど、メータタイプ制御／マシンタイプコミュニケーションをサポートすることができる。ＭＴＣデバイスは、一定の機能を、例えば、一定の帯域幅および／または限られた帯域幅のサポート（例えば、それらのサポートだけ）を含む限られた機能を有することができる。ＭＴＣデバイスは、（例えば、非常に長いバッテリ寿命を維持するために）閾値を上回るバッテリ寿命を有するバッテリを含むことができる。
【００４７】
８０２．１１ｎ、８０２．１１ａｃ、８０２．１１ａｆ、および８０２．１１ａｈなど、複数のチャネルおよびチャネル帯域幅をサポートすることができる、ＷＬＡＮシステムは、プライマリチャネルとして指定することができるチャネルを含む。プライマリチャネルは、ＢＳＳ内のすべてのＳＴＡによってサポートされる最大の共通動作帯域幅に等しい帯域幅を有することができる。プライマリチャネルの帯域幅は、ＢＳＳ内において動作するすべてのＳＴＡの中の、最小帯域幅動作モードをサポートするＳＴＡによって設定および／または制限することができる。８０２．１１ａｈの例においては、ＢＳＳ内のＡＰおよび他のＳＴＡが、２ＭＨｚ、４ＭＨｚ、８ＭＨｚ、１６ＭＨｚ、および／または他のチャネル帯域幅動作モードをサポートする場合であっても、１ＭＨｚモードをサポートする（例えば、それだけをサポートする）ＳＴＡ（例えば、ＭＴＣタイプデバイス）のために、プライマリチャネルは、１ＭＨｚ幅であることができる。キャリアセンシングおよび／またはネットワークアロケーションベクトル（ＮＡＶ）設定は、プライマリチャネルのステータスに依存することができる。例えば、（１ＭＨｚ動作モードだけをサポートする）ＳＴＡが、ＡＰに送信しているせいで、プライマリチャネルが、ビジーである場合、周波数バンドの大部分が、アイドルのままであり、利用可能であることができるとしても、利用可能な周波数バンド全体が、ビジーと見なされることができる。
【００４８】
米国においては、８０２．１１ａｈによって使用することができる利用可能な周波数バンドは、９０２ＭＨｚから９２８ＭＨｚである。韓国においては、利用可能な周波数バンドは、９１７．５ＭＨｚから９２３．５ＭＨｚである。日本においては、利用可能な周波数バンドは、９１６．５ＭＨｚから９２７．５ＭＨｚである。８０２．１１ａｈのために利用可能な合計帯域幅は、国の規則に応じて、６ＭＨｚから２６ＭＨｚである。
【００４９】
図１Ｄは、実施形態に従った、ＲＡＮ１１３およびＣＮ１１５を示すシステム図である。上で言及されたように、ＲＡＮ１１３は、ＮＲ無線技術を利用して、エアインターフェース１１６上において、ＷＴＲＵ１０２ａ、１０２ｂ、１０２ｃと通信することができる。ＲＡＮ１１３は、ＣＮ１１５とも通信することができる。
【００５０】
ＲＡＮ１１３は、ｇＮＢ１８０ａ、１８０ｂ、１８０ｃを含むことができるが、ＲＡＮ１１３は、実施形態との整合性を保ちながら、任意の数のｇＮＢを含むことができることが理解されよう。ｇＮＢ１８０ａ、１８０ｂ、１８０ｃは、各々が、エアインターフェース１１６上においてＷＴＲＵ１０２ａ、１０２ｂ、１０２ｃと通信するための、１つまたは複数の送受信機を含むことができる。一実施形態においては、ｇＮＢ１８０ａ、１８０ｂ、１８０ｃは、ＭＩＭＯ技術を実施することができる。例えば、ｇＮＢ１８０ａ、１０８ｂは、ビームフォーミングを利用して、ｇＮＢ１８０ａ、１８０ｂ、１８０ｃに信号を送信し、および／またはｇＮＢ１８０ａ、１８０ｂ、１８０ｃから信号を受信することができる。したがって、ｇＮＢ１８０ａは、例えば、複数のアンテナを使用して、ＷＴＲＵ１０２ａに無線信号を送信し、および／またはＷＴＲＵ１０２ａから無線信号を受信することができる。実施形態においては、ｇＮＢ１８０ａ、１８０ｂ、１８０ｃは、キャリアアグリゲーション技術を実施することができる。例えば、ｇＮＢ１８０ａは、ＷＴＲＵ１０２ａに複数のコンポーネントキャリアを送信することができる（図示されず）。これらのコンポーネントキャリアのサブセットは、免許不要スペクトル上にあることができるが、残りのコンポーネントキャリアは、免許要スペクトル上にあることができる。実施形態においては、ｇＮＢ１８０ａ、１８０ｂ、１８０ｃは、多地点協調（ＣｏＭＰ）技術を実施することができる。例えば、ＷＴＲＵ１０２ａは、ｇＮＢ１８０ａとｇＮＢ１８０ｂ（および／またはｇＮＢ１８０ｃ）から調整された送信を受信することができる。
【００５１】
ＷＴＲＵ１０２ａ、１０２ｂ、１０２ｃは、スケーラブルなヌメロロジ（ｎｕｍｅｒｏｌｏｇｙ）と関連付けられた送信を使用して、ｇＮＢ１８０ａ、１８０ｂ、１８０ｃと通信することができる。例えば、ＯＦＤＭシンボル間隔、および／またはＯＦＤＭサブキャリア間隔は、異なる送信、異なるセル、および／または無線送信スペクトルの異なる部分ごとに様々であることができる。ＷＴＲＵ１０２ａ、１０２ｂ、１０２ｃは、（例えば、様々な数のＯＦＤＭシンボルを含む、および／または様々な長さの絶対時間だけ持続する）様々なまたはスケーラブルな長さのサブフレームまたは送信時間間隔（ＴＴＩ）を使用して、ｇＮＢ１８０ａ、１８０ｂ、１８０ｃと通信することができる。
【００５２】
ｇＮＢ１８０ａ、１８０ｂ、１８０ｃは、スタンドアロン構成および／または非スタンドアロン構成で、ＷＴＲＵ１０２ａ、１０２ｂ、１０２ｃと通信するように構成することができる。スタンドアロン構成においては、ＷＴＲＵ１０２ａ、１０２ｂ、１０２ｃは、（例えば、ｅノードＢ１６０ａ、１６０ｂ、１６０ｃなどの）他のＲＡＮにアクセスすることもなしに、ｇＮＢ１８０ａ、１８０ｂ、１８０ｃと通信することができる。スタンドアロン構成においては、ＷＴＲＵ１０２ａ、１０２ｂ、１０２ｃは、ｇＮＢ１８０ａ、１８０ｂ、１８０ｃのうちの１つまたは複数を、モビリティアンカポイントとして利用することができる。スタンドアロン構成においては、ＷＴＲＵ１０２ａ、１０２ｂ、１０２ｃは、免許不要バンド内において信号を使用して、ｇＮＢ１８０ａ、１８０ｂ、１８０ｃと通信することができる。非スタンドアロン構成においては、ＷＴＲＵ１０２ａ、１０２ｂ、１０２ｃは、ｅノードＢ１６０ａ、１６０ｂ、１６０ｃなどの別のＲＡＮとも通信し／別のＲＡＮにも接続しながら、ｇＮＢ１８０ａ、１８０ｂ、１８０ｃと通信し／ｇＮＢ１８０ａ、１８０ｂ、１８０ｃに接続することができる。例えば、ＷＴＲＵ１０２ａ、１０２ｂ、１０２ｃは、ＤＣ原理を実施して、１つまたは複数のｇＮＢ１８０ａ、１８０ｂ、１８０ｃ、および１つまたは複数のｅノードＢ１６０ａ、１６０ｂ、１６０ｃと実質的に同時に通信することができる。非スタンドアロン構成においては、ｅノードＢ１６０ａ、１６０ｂ、１６０ｃは、ＷＴＲＵ１０２ａ、１０２ｂ、１０２ｃのためのモビリティアンカとしての役割を果たすことができ、ｇＮＢ１８０ａ、１８０ｂ、１８０ｃは、ＷＴＲＵ１０２ａ、１０２ｂ、１０２ｃにサービスするための追加のカバレージおよび／またはスループットを提供することができる。
【００５３】
ｇＮＢ１８０ａ、１８０ｂ、１８０ｃの各々は、特定のセル（図示されず）と関連付けることができ、無線リソース管理決定、ハンドオーバ決定、ＵＬおよび／またはＤＬにおけるユーザのスケジューリング、ネットワークスライシングのサポート、デュアルコネクティビティ、ＮＲとＥ−ＵＴＲＡとの間のインターワーキング、ユーザプレーンデータのユーザプレーン機能（ＵＰＦ）１８４ａ、１８４ｂへのルーティング、並びにコントロールプレーン情報のアクセスおよびモビリティ管理機能（ＡＭＦ）１８２ａ、１８２ｂへのルーティング等を処理するように構成できる。図１Ｄに示されるように、ｇＮＢ１８０ａ、１８０ｂ、１８０ｃは、Ｘｎインターフェース上において、互いに通信することができる。
【００５４】
図１Ｄに示されるＣＮ１１５は、少なくとも１つのＡＭＦ１８２ａ、１８２ｂと、少なくとも１つのＵＰＦ１８４ａ、１８４ｂと、少なくとも１つのセッション管理機能（ＳＭＦ）１８３ａ、１８３ｂと、おそらくは、データネットワーク（ＤＮ）１８５ａ、１８５ｂとを含むことができる。上記の要素の各々は、ＣＮ１１５の部分として描かれているが、これらの要素のうちのいずれも、ＣＮオペレータ以外のエンティティによって所有および／または運営することができることが理解されよう。
【００５５】
ＡＭＦ１８２ａ、１８２ｂは、Ｎ２インターフェースを介して、ＲＡＮ１１３内のｇＮＢ１８０ａ、１８０ｂ、１８０ｃのうちの１つまたは複数に接続することができ、制御ノードとしての役割を果たすことができる。例えば、ＡＭＦ１８２ａ、１８２ｂは、ＷＴＲＵ１０２ａ、１０２ｂ、１０２ｃのユーザを認証すること、ネットワークスライシングのサポート（例えば、異なる要件を有する異なるＰＤＵセッションの処理）、特定のＳＭＦ１８３ａ、１８３ｂを選択すること、レジストレーションエリアの管理、ＮＡＳシグナリングの終了、およびモビリティ管理などを担うことができる。ネットワークスライシングは、ＷＴＲＵ１０２ａ、１０２ｂ、１０２ｃが利用されるサービスのタイプに基づいて、ＷＴＲＵ１０２ａ、１０２ｂ、１０２ｃに対するＣＮサポートをカスタマイズするために、ＡＭＦ１８２ａ、１８２ｂによって使用することができる。例えば、超高信頼低遅延（ＵＲＬＬＣ）アクセスに依存するサービス、高速大容量モバイルブロードバンド（ｅＭＢＢ）アクセスに依存するサービス、および／またはマシンタイプコミュニケーション（ＭＴＣ）アクセスのためのサービスなど、異なる使用事例のために、異なるネットワークスライスを確立することができる。ＡＭＦ１６２は、ＲＡＮ１１３と、ＬＴＥ、ＬＴＥ−Ａ、ＬＴＥ−Ａ  Ｐｒｏ、および／またはＷｉＦｉのような非３ＧＰＰアクセス技術など、他の無線技術を利用する他のＲＡＮ（図示されず）との間の交換のためのコントロールプレーン機能を提供することができる。
【００５６】
ＳＭＦ１８３ａ、１８３ｂは、Ｎ１１インターフェースを介して、ＣＮ１１５内のＡＭＦ１８２ａ、１８２ｂに接続することができる。ＳＭＦ１８３ａ、１８３ｂは、Ｎ４インターフェースを介して、ＣＮ１１５内のＵＰＦ１８４ａ、１８４ｂに接続することもできる。ＳＭＦ１８３ａ、１８３ｂは、ＵＰＦ１８４ａ、１８４ｂを選択および制御し、ＵＰＦ１８４ａ、１８４ｂを通したトラフィックのルーティングを構成することができる。ＳＭＦ１８３ａ、１８３ｂは、ＵＥ  ＩＰアドレスの管理および割り当てを行うこと、ＰＤＵセッションを管理すること、ポリシ実施およびＱｏＳを制御すること、ならびにダウンリンクデータ通知を提供することなど、他の機能を実行できる。ＰＤＵセッションタイプは、ＩＰベース、非ＩＰベース、およびイーサネットベースなどであることができる。
【００５７】
ＵＰＦ１８４ａ、１８４ｂは、Ｎ３インターフェースを介して、ＲＡＮ１１３内のｇＮＢ１８０ａ、１８０ｂ、１８０ｃのうちの１つまたは複数に接続することができ、それらは、インターネット１１０など、パケット交換ネットワークへのアクセスをＷＴＲＵ１０２ａ、１０２ｂ、１０２ｃに提供して、ＷＴＲＵ１０２ａ、１０２ｂ、１０２ｃとＩＰ対応デバイスとの間の通信を容易にすることができる。ＵＰＦ１８４ａ、１８４ｂは、パケットをルーティングおよび転送すること、ユーザプレーンポリシを実施すること、マルチホーミングＰＤＵセッションをサポートすること、ユーザプレーンＱｏＳを処理すること、ダウンリンクパケットをバッファすること、ならびにモビリティアンカリングを提供することなど、他の機能を実行することができる。
【００５８】
ＣＮ１１５は、他のネットワークとの通信を容易にすることができる。例えば、ＣＮ１１５は、ＣＮ１１５とＰＳＴＮ１０８との間のインターフェースとしての役割を果たすＩＰゲートウェイ（例えば、ＩＰマルチメディアサブシステム（ＩＭＳ）サーバ）を含むことができ、またはそれと通信することができる。加えて、ＣＮ１１５は、他のネットワーク１１２へのアクセスをＷＴＲＵ１０２ａ、１０２ｂ、１０２ｃに提供することができ、他のネットワーク１１２は、他のサービスプロバイダによって所有および／または運営される他の有線および／または無線ネットワークを含むことができる。一実施形態においては、ＷＴＲＵ１０２ａ、１０２ｂ、１０２ｃは、ＵＰＦ１８４ａ、１８４ｂへのＮ３インターフェース、およびＵＰＦ１８４ａ、１８４ｂとＤＮ１８５ａ、１８５ｂとの間のＮ６インターフェースを介して、ＵＰＦ１８４ａ、１８４ｂを通して、ローカルデータネットワーク（ＤＮ）１８５ａ、１８５ｂに接続することができる。
【００５９】
図１Ａ〜図１Ｄ、および図１Ａ〜図１Ｄについての対応する説明に鑑みて、ＷＴＲＵ１０２ａ〜ｄ、基地局１１４ａ〜ｂ、ｅノードＢ１６０ａ〜ｃ、ＭＭＥ１６２、ＳＧＷ１６４、ＰＧＷ１６６、ｇＮＢ１８０ａ〜ｃ、ＡＭＦ１８２ａ〜ｂ、ＵＰＦ１８４ａ〜ｂ、ＳＭＦ１８３ａ〜ｂ、ＤＮ１８５ａ〜ｂ、および／または本明細書において説明される他の任意のデバイスのうちの１つまたは複数に関する、本明細書において説明される機能の１つもしくは複数またはすべては、１つまたは複数のエミュレーションデバイス（図示されず）によって実行することができる。エミュレーションデバイスは、本明細書において説明される機能の１つもしくは複数またはすべてをエミュレートするように構成された、１つまたは複数のデバイスであることができる。例えば、エミュレーションデバイスは、他のデバイスをテストするために、ならびに／またはネットワークおよび／もしくはＷＴＲＵ機能をシミュレートするために、使用することができる。
【００６０】
エミュレーションデバイスは、実験室環境において、および／またはオペレータネットワーク環境において、他のデバイスの１つまたは複数のテストを実施するように設計することができる。例えば、１つまたは複数のエミュレーションデバイスは、通信ネットワーク内の他のデバイスをテストするために、有線および／または無線通信ネットワークの一部として、完全または部分的に実施および／または配備されながら、１つもしくは複数またはすべての機能を実行することができる。１つまたは複数のエミュレーションデバイスは、有線および／または無線通信ネットワークの一部として、一時的に実施／配備されながら、１つもしくは複数またはすべての機能を実行することができる。エミュレーションデバイスは、テストの目的で、別のデバイスに直接的に結合することができ、および／またはオーバザエア無線通信を使用して、テストを実行することができる。
【００６１】
１つまたは複数のエミュレーションデバイスは、有線および／または無線通信ネットワークの一部として実施／配備されずに、すべての機能を含む、１つまたは複数の機能を実行することができる。例えば、エミュレーションデバイスは、１つまたは複数の構成要素のテストを実施するために、テスト実験室、ならびに／または配備されていない（例えば、テスト）有線および／もしくは無線通信ネットワークにおける、テストシナリオにおいて利用することができる。１つまたは複数のエミュレーションデバイスは、テスト機器であることができる。データを送信および／または受信するために、直接ＲＦ結合、および／または（例えば、１つもしくは複数のアンテナを含むことができる）ＲＦ回路を介した無線通信を、エミュレーションデバイスによって使用することができる。
【００６２】
ＷＬＡＮシステムについて、本明細書において説明することができる。インフラストラクチャ基本サービスセット（ＢＳＳ）モードにあるＷＬＡＮは、ＢＳＳのためのアクセスポイント（ＡＰ）と、ＡＰと関連付けられた１つまたは複数の局（ＳＴＡ）とを有することができる。ＡＰは、トラフィックをＢＳＳ内およびＢＳＳ外に搬送する、ディストリビューションシステム（ＤＳ）または別のタイプの有線および／または無線ネットワークへのアクセスまたはインターフェースを有することができる。ＢＳＳ外部から発信されたＳＴＡへのトラフィックは、ＡＰを通して到着することができ、ＳＴＡに配送される。ＳＴＡからＢＳＳ外部の送信先に発信されたトラフィックは、それぞれの送信先に配送するために、ＡＰに送信することができる。ＢＳＳ内のＳＴＡ間のトラフィックは、ＡＰを通して送信することができる。送信元ＳＴＡは、トラフィックをＡＰに送信することができ、ＡＰは、トラフィックを送信先ＳＴＡに配送することができる。ＢＳＳ内のＳＴＡ間のそのようなトラフィックは、ピアツーピアトラフィックであることができる。そのようなピアツーピアトラフィックは、８０２．１１ｅ  ＤＬＳまたは８０２．１１ｚトンネルＤＬＳ（ＴＤＬＳ）を使用する、直接リンクセットアップ（ＤＬＳ）を用いて、送信元ＳＴＡと送信先ＳＴＡとの間で送信すること（例えば、直接的に送信すること）ができる。独立ＢＳＳ（ＩＢＳＳ）モードを使用するＷＬＡＮは、ＡＰを有さないこと、および／または互いに直接的に通信するＳＴＡを有することができる。このモードの通信は、アドホックモードの通信と呼ばれることがある。
【００６３】
８０２．１１ａｃインフラストラクチャモードの動作を使用するとき、ＡＰは、固定されたチャネル、例えばプライマリチャネル上において、ビーコンを送信することができる。このチャネルは、２０ＭＨｚ幅であることができ、ＢＳＳの動作チャネルであることができる。このチャネルは、ＡＰとの接続を確立するために、ＳＴＡによって使用することができる。８０２．１１システムにおけるチャネルアクセスメカニズムの１つは、キャリアセンス多重アクセス／衝突回避（ＣＳＭＡ／ＣＡ）である。このモードの動作では、ＡＰを含むＳＴＡは、プライマリチャネルをセンスすることができる。チャネルが、ビジーであると検出された場合、ＳＴＡは、バックオフすることができる。例えば与えられたＢＳＳ内においては、任意の与えられた時間に、１つのＳＴＡが、送信することができる。
【００６４】
８０２．１１ｎにおいては、高スループット（ＨＴ）ＳＴＡは、通信のために４０ＭＨｚ幅チャネルを使用することができる。４０ＭＨｚ幅の連続チャネルを形成するために、プライマリ２０ＭＨｚチャネルを隣接２０ＭＨｚチャネルと組み合わせることができる。
【００６５】
８０２．１１ａｃにおいては、超高スループット（ＶＨＴ）ＳＴＡは、２０ＭＨｚ、４０ＭＨｚ、８０ＭＨｚ、および１６０ＭＨｚ幅チャネルをサポートすることができる。４０ＭＨｚおよび８０ＭＨｚチャネルは、本明細書において説明される８０２．１１ｎと同様に、連続する２０ＭＨｚチャネルを組み合わせることによって形成することができる。１６０ＭＨｚチャネルは、８つの連続する２０ＭＨｚチャネルを組み合わせることによって、または２つの非連続な８０ＭＨｚチャネルを組み合わせることによって形成できる。２つの非連続な８０ＭＨｚチャネルを組み合わせることは、８０＋８０構成と呼ばれることがある。８０＋８０構成の場合、データは、チャネルエンコーディングの後、それをストリーム（例えば、２つのストリーム）に分割する、セグメントパーサを通過することができる。各ストリームに対して（例えば、別々に）、ＩＦＦＴおよび時間領域処理を行うことができる。ストリームは、チャネル（例えば、２つのチャネル）上にマッピングすることができ、データが、送信されることができる。受信機においては、このメカニズムは、逆転することができ、組み合わされたデータは、ＭＡＣに送信することができる。
【００６６】
１ＧＨｚ未満モードの動作を、８０２．１１ａｆおよび８０２．１１ａｈによってサポートすることができる。チャネル動作帯域幅およびキャリアは、８０２．１１ｎおよび８０２．１１ａｃにおいて使用される仕様と比べて、低減させることができる。８０２．１１ａｆは、ＴＶホワイトスペース（ＴＶＷＳ）スペクトルにおいて、５ＭＨｚ、１０ＭＨｚ、および２０ＭＨｚ帯域幅をサポートすることができる。８０２．１１ａｈは、非ＴＶＷＳスペクトルを使用して、１ＭＨｚ、２ＭＨｚ、４ＭＨｚ、８ＭＨｚ、および１６ＭＨｚ帯域幅をサポートすることができる。８０２．１１ａｈは、マクロカバレージエリアにおける１つまたは複数のメータタイプ制御（ＭＴＣ）デバイスをサポートすることができる。１つまたは複数のＭＴＣデバイスは、限られた帯域幅をサポートするための能力（例えば、限られた能力）を有することができる。１つまたは複数のＭＴＣデバイスは、長いバッテリ寿命に対する要件を含むことができる。
【００６７】
８０２．１１ｎ、８０２．１１ａｃ、８０２．１１ａｆ、および８０２．１１ａｈなど、ＷＬＡＮシステムは、複数のチャネルおよびチャネル帯域幅をサポートすることができる。ＷＬＡＮシステムは、プライマリチャネルとして指定されるチャネルを含むことができる。プライマリチャネルは、ＢＳＳ内のいくつかまたはすべてのＳＴＡによってサポートされる最大の共通動作帯域幅に等しい帯域幅を有することができる。プライマリチャネルの帯域幅は、最小帯域幅動作モードをサポートするＳＴＡ（例えば、ＢＳＳ内において動作するいくつかまたはすべてのＳＴＡ）によって制限することができる。８０２．１１ａｈにおいては、１ＭＨｚモードをサポートするＳＴＡ（例えば、ＭＴＣタイプデバイス）が、存在する場合、プライマリチャネルは、１ＭＨｚ幅であることができる。そのＳＴＡは、ＢＳＳ内のＡＰおよび他のＳＴＡが、２ＭＨｚ、４ＭＨｚ、８ＭＨｚ、１６ＭＨｚ、または他のチャネル帯域幅動作モードをサポートすることができる場合であっても、存在することができる。いくつかまたはすべてのキャリアセンシングおよびＮＡＶ設定は、プライマリチャネルのステータスに依存することができる。例えば、プライマリチャネルが、（例えば、１ＭＨｚ動作モードをサポートするＳＴＡが、ＡＰに送信しているせいで）ビジーである場合、周波数バンドの大部分が、アイドルおよび／または利用可能であることができるとしても、利用可能な周波数バンドは、ビジーと見なされることができる。
【００６８】
米国においては、８０２．１１ａｈによって使用することができる利用可能な周波数バンドは、９０２ＭＨｚから９２８ＭＨｚであることができる。韓国においては、８０２．１１ａｈによって使用することができる利用可能な周波数バンドは、９１７．５ＭＨｚから９２３．５ＭＨｚであることができる。日本においては、８０２．１１ａｈによって使用することができる利用可能な周波数バンドは、９１６．５ＭＨｚから９２７．５ＭＨｚであることができる。８０２．１１ａｈのために利用可能な合計帯域幅は、国の規則に応じて、６ＭＨｚから２６ＭＨｚであることができる。
【００６９】
８０２．１１ａｃは、同じシンボルの時間フレームにおける、例えば、ダウンリンクＯＦＤＭシンボルの間における、複数のＳＴＡへのダウンリンクマルチユーザＭＩＭＯ（ＭＵ−ＭＩＭＯ）送信という概念を導入した。８０２．１１ａｃのためのダウンリンクＭＵ−ＭＩＭＯの使用は、８０２．１１ａｈのためと見なすことができる。ダウンリンクＭＵ−ＭＩＭＯは、複数のＳＴＡへの波形伝送の複数のＳＴＡの干渉に対して、同じシンボルタイミングを使用することができる。ＡＰとともにＭＵ−ＭＩＭＯ送信に関与するいくつかまたはすべてのＳＴＡは、同じチャネルまたはバンドを使用することができる。同じチャネルまたはバンドの使用は、動作帯域幅を制限することができる。動作帯域幅は、ＡＰとともにＭＵ−ＭＩＭＯ送信に含まれることができるＳＴＡによってサポートされる、最小チャネル帯域幅に制限することができる。
【００７０】
８０２．１１ｂａについて、本明細書において説明することができる。８０２．１１ｂａは、８０２．１１デバイスのためのウェイクアップ無線（ＷＵＲ）の動作を可能にする、物理レイヤ仕様および媒体アクセス制御レイヤ仕様を定義することができる。８０２．１１ｂａは、以下のうちの、すなわち、範囲、能力、共存、電力消費、または待ち時間のうちの１つまたは複数を含むことができる。範囲について、８０２．１１ｂａ  ＷＵＲは、１次接続性無線（例えば、８０２．１１ａｘ）に対するコンパニオン無線であることができ、１次接続性無線と同じ範囲要件を満たすことができる。能力について、ウェイクアップフレームは、１次接続性無線のスリープからの遷移をトリガすることができる、制御情報を搬送することができる。共存について、ＷＵＲデバイスは、レガシＩＥＥＥ８０２．１１デバイスと、同じバンド内に共存することができる。電力消費について、ＷＵＲは、１ミリワットより少ない、予想される能動受信機の電力消費を有することができる。低電力デバイスは、アプリケーションおよびモノのインターネット（ＩｏＴ）使用事例において、現れることができる。これらの使用事例は、限定することなく、ヘルスケア、スマートホーム、工業用センサ、ウェアラブルなどを含むことができる。これらのアプリケーションにおいて使用されるデバイスは、バッテリによって給電することができる。待ち時間について、いくつかの使用事例においては、低待ち時間を維持しながら、バッテリ寿命を延ばすことが、要件になることができる。必要とされる場合、低待ち時間を維持しながら、電力効率の良いメカニズムをバッテリ動作のデバイスとともに使用することができる。典型的なＯＦＤＭ能動受信機は、数千ミリワットを消費することができる。電力消費を低減させるために、デバイスは、電力節約モードを使用することができる。ＩＥＥＥ８０２．１１電力節約モードに基づいたデバイスは、アクセスポイント（ＡＰ）から情報を受信するために、またＡＰから受信すべきデータが存在するかどうかを知るために、スリープ状態からウェイクアップする（例えば、定期的にウェイクアップする）ことができる。デバイスがスリープ状態に長くとどまるほど、デバイスは、増大するデータ受信の待ち時間と引き換えに、より低い電力を消費することができる。
【００７１】
物理（ＰＨＹ）態様について、本明細書において説明することができる。８０２．１１ｂａは、（例えば、ＯＦＤＭのような先進の方式の代わりに）非コヒーレントな送信方式を採用することができる。８０２．１１ｂａは、ＷＵＲの低電力要件のために、非コヒーレントな送信方式を採用することができる。波形符号化（ＷＦＣ）を用いるオン−オフ変調（ＯＯＫ）は、８０２．１１ｂａ  ＷＵＲのための候補であることができる。ＷＦＣ方法の１つは、異なる持続時間（期間：duration）においてオンおよびオフ状態の両方を用いてビットが表される、マンチェスタ符号化であることができる。マンチェスタ符号化は、受信機が、「オン」および「オフ」持続時間（duration）上における振幅を比較することによって、ビットを検出することを可能にすることができる。受信機構造と異なり、８０２．１１ｂａ用の送信機は、８０２．１１ＡＰによって信号が生成されてゆくにつれて、進められることができる。ＯＦＤＭ構造を異なる方法で使用して、ＯＯＫシンボルを生成することができる。
【００７２】
あるＷＦＣ手法は、図２に示されるように、ＯＯＫビットの「０」および「１」を表すために、基本ＯＦＤＭシンボルに対してマスクを適用することができる。例えば、図２は、例えば、８０２．１１ｎについての、ＯＦＤＭシンボルの例示的なマスキングを示している。ＯＦＤＭシンボルを生成するために、シーケンス（例えば、レガシロングトレーニングフィールド（Ｌ−ＬＴＦ）シーケンス）を使用することができる。生成されたＯＦＤＭシンボルは、サイクリックプレフィックス（ＣＰ）挿入後に、マスクすることができる。生成されたＯＦＤＭシンボルは、ＷＦＣ符号化されたＯＯＫシンボルを生成するために、サイクリックプレフィックス（ＣＰ）挿入前に、マスクすることができる。マスキングは、隣接チャネル干渉を引き起こすことがあり、共存シナリオにおいて、送信を害することがある。
【００７３】
ＷＦＣ  ＯＯＫシンボルを生成するために、２つのＯＦＤＭシンボルを検討することができる。図３は、ＯＯＫシンボルのための２シンボルＯＦＤＭの例を示している。図３に示されるように、Ｌ−ＬＴＦの一部は、ＯＦＤＭのあるサブキャリア（例えば、−６：６）を使用していることができる。図３において、第１のシンボルが、Ｌ−ＬＴＦを用いて生成され、第２のシンボルが、ゼロである場合、ＯＯＫシンボルは、ビット１を表すことができる。第２のシンボルが、Ｌ−ＬＴＦを用いて生成され、第１のシンボルが、ゼロである場合、ＯＯＫシンボルは、ビット０を表すことができる。ＯＯＫシンボルを生成するために（例えば、追加の反復を導入することによって一般化するために）、Ｎ個のＯＦＤＭシンボル持続時間(シンボル時間：Symbol duration)を検討することができる。この方法は、ＷＵＲのデータレートを低減させることができる。
【００７４】
狭帯域バイポーラＯＯＫ信号生成を８０２．１１ｂａに導入することができる。図４は、例示的な非ＯＦＤＭベースの手法を示している。キャリア周波数は、バイポーラ送信される信号の構造を可能にすることによって、変調することができる。
【００７５】
マスクされたＯＦＤＭに基づいたＯＯＫシンボルのせいで、干渉が、引き起こされることがある。波形符号化（ＷＦＣ）を用いるオン−オフ変調（ＯＯＫ）は、例えば、８０２．１１ｂａ  ＷＵＲのための、ＰＨＹ設計であることができる。本明細書において説明される手法（例えば、各ＯＦＤＭシンボルの一部をマスクして、波形符号化されたＯＯＫシンボルを生成すること）は、他のサブキャリアに対する干渉を引き起こすことがあり、隣接サブキャリアにおいて動作する送信を害することがある。図５は、ＯＦＤＭシンボルをマスクすることに起因する、他のサブキャリアの例示的な干渉を示している。例えば、図５に示されるように、ＯＯＫ信号の周波数応答を提供することができる。ＯＯＫシンボルは、サブキャリアのセットをＬ−ＬＴＦシーケンスの一部を用いて変調することによって生成されたＯＦＤＭシンボルをマスクすることによって、生成することができる。図５に示されるように、ＯＯＫシンボルのエネルギーは、隣接サブキャリアに対する干渉を引き起こすことがある。
【００７６】
マルチユーザシナリオにおいてＯＯＫシンボルを多重化することについて、本明細書において説明することができる。ある多重化操作（例えば、ＯＯＫシンボルの時分割多重（ＴＤＭ）および／または周波数分割多重（ＦＤＭ））は、同じ環境においてＯＦＤＭベースの波形を用いて動作する他の無線を考慮することができない。ＯＯＫシンボルと、ＯＦＤＭユーザのための直交振幅変調（ＱＡＭ）シンボルとの間の直交性を維持しながら、異なるユーザのためのＯＯＫシンボルを時間または周波数において多重化することが、考慮される必要があることがある。ＯＯＫシンボルは、周波数領域において拡散することができる。例えば、図６は、マルチユーザＷＵＲ実施についての例示的な共存検討事項を示している。ＷＵＲデータ間における多重化を維持することができ、また他のＯＦＤＭベースのシステムとの間の共存に対処することができる実施を、提供することができる。
【００７７】
ＭＵシナリオに関連する課題、例えば、プリアンブル設計、環境内における既存デバイスとの後方互換性、および／または長さに対処する実施を、提供することができる。
【００７８】
ＯＦＤＭのための整形シーケンス特徴について、本明細書において説明することができる。ＷＵＲのために望ましい信号形状は、ＯＦＤＭ方式のサブキャリアのセットを使用することによって、生成することができる。図７は、ＯＦＤＭについての例示的な整形シーケンスを示している。図７に示されるように、整形された信号（例えば、ＷＵＲ信号）は、ＯＦＤＭシンボルのＭ個のサブキャリアを使用することによって、生成することができる。ＷＵＲ信号は、ＱＡＭシンボルのための信号に直交することができる。整形シーケンスと、データシンボル（例えば、ＱＡＭシンボル）は、周波数領域において多重化することができる。ＷＵＲ信号の検出および／または復調は、受信機において、周波数領域において行うことができる。ＷＵＲ信号と、他のデータシンボルは、隣接チャネル干渉（ＡＣＩ）を被らないことができる。以下のうちの１つまたは複数を実行することができる。時間領域において、ｋ個の異なる整形された信号を生成するために、ｋ個の異なる整形シーケンスを定義することができる。各整形シーケンスは、ＷＵＲのための異なるデータシンボルを表すことができる。整形シーケンスのロケーションは、同じサブキャリアを使用することができない。異なる整形された信号を生成するために、同じシーケンスを異なるサブキャリアにおいて使用することができる。整形シーケンスは、ＯＯＫシンボルのセットに似た、整形された信号を生じさせることができる。整形シーケンスは、マンチェスタ符号化を用いるＯＯＫシンボルのセットに似た、整形された信号を生じさせることができる。望ましい信号形状を獲得する（例えば、最初に獲得する）ことができる。逆離散フーリエ変換（ＩＤＦＴ）行列のある列を使用することによって、望ましい信号形状の近似を生成することができる。例えば、生成（例えば、計算）は、最小２乗法または正則化された最小２乗法に基づくことができる。計算は、ＩＤＦＴ行列のＭ個の隣接列に対応することができる列に基づくことができる。
【００７９】
離散フーリエ変換（ＤＦＴ）ベースの整形シーケンスについて、本明細書において説明することができる。整形シーケンスは、ＯＦＤＭ送信前に、ＤＦＴ−拡散操作を使用することによって、生成することができる。整形シーケンスは、ベースシーケンスのセットを、ＤＦＴ−拡散ブロックの１つまたは複数の異なる入力にマッピングすることによって、生成することができる。整形シーケンスは、複素位相回転、および／または周波数における窓操作を含むことができる。ベースシーケンスと関連付けられたシーケンスの追加セットを生成することができ、および／またはベースシーケンスの先頭に追加することができる。整形された信号は、整形ヘルパブロックを介して、時間において形成することができる。整形ヘルパブロックは、時間領域において信号のある部分を抑制するシーケンスを生成することができる、抑制ブロックであることができる。
【００８０】
図８は、例示的なＤＦＴ−拡散ベースの整形シーケンス、およびＯＦＤＭ送信における整形シーケンスとデータとの多重化を示している。１つまたは複数の以下のことを適用することができる。ｋ個の異なる整形シーケンスを生成するために、ｋ個の異なるベースシーケンスを定義することができる。各ベースシーケンスは、異なる情報またはビット０とビット１との組み合わせを表すことができる、ｋ個の異なる整形シーケンスを生じさせることができる。ＯＦＤＭ送信機（例えば、ＯＦＤＭ送信デバイス）は、時間領域において望ましい整形された信号を生成するために、整形シーケンスを選択することができる。ＯＦＤＭ送信機は、例えば、異なる受信機のための信号間における直交性を有するように、周波数領域において、複数の整形シーケンスと、データシンボル（例えば、ＱＡＭシンボル）とを使用することができる。ＯＦＤＭ送信機は、異なる整形シーケンスをサブキャリアの異なるセットにマッピングすることができ、マッピングは、インターリーブおよび／または局所化されたマッピング選択肢を含むことができる。ベースシーケンス（例えば、ｋ個の異なるベースシーケンス）は、他のベースシーケンス、例えば、ＤＦＴの入力にマッピングされる他のベースシーケンスに直交することができる。マッピング後のベースシーケンスは、互いに直交することができる。整形シーケンスは、ＯＯＫシンボルに似ることができる整形された信号を時間において生じさせることができる。整形シーケンスは、マンチェスタ符号化を用いるＯＯＫシンボルに似ることができる整形された信号を時間において生じさせることができる。ＤＦＴ−拡散のサイズ、および対応するマッピング操作は、各ベースシーケンスに一意的であることができる。例えば、循環シフト操作を使用することによって、時間において信号の形状を調整するために、（例えば、複素位相回転ブロックにおける）複素位相回転を適用することができる。（例えば、整形性能を高めるために）周波数領域窓操作を適用することができる。周波数領域窓操作は、例えば、ＤＦＴ−拡散の出力を繰り返し、窓関数を用いて繰り返された出力をマスクすることによって、適用することができる。ＣＰをＯＦＤＭシンボルに追加することができる。ＣＰが使用されない場合、ユニークワード（ＵＷ）ベースの方法を使用することができる。例えば、ＵＷベースの手法を可能にするために、ＤＦＴ−拡散ブロックの最初のＭｈ個および最後のＭｔ個の入力を、ユニークワードシーケンスのために割り当てることができる。入力の残りは、整形シーケンスのために使用することができる。ＤＦＴ−拡散シーケンスは、事前生成すること、記憶すること、および／またはＷＵＲシンボルを介してシーケンスマッピング機能に使用することができる。
【００８１】
（例えば、本明細書において説明されるような）実施においては、データシンボルのための受信機は、ＯＦＤＭ受信機を使用することができる。整形された信号（例えば、８０２．１１ｂａ  ＷＵＲ）のための受信機は、バンドパスフィルタ、包絡線抽出器、および／または相関器を利用することによって、（例えば、ある帯域幅において）信号の形状を検出することができる。
【００８２】
図９は、低電力サイクリックプレフィックス（ＣＰ）の場合の、ＤＦＴ−拡散ベースの整形シーケンスを用いるマンチェスタ符号化されたＯＯＫ信号構築についての例を示している。図９では、データ１シーケンスｄ1（例えば、ビット「１」を表すシーケンス）と、データ０シーケンスｄ0（例えば、ビット「０」を表すシーケンス）は、それぞれ
【００８３】
【数１】
2020520583.tif 000003
【００８４】
および
【００８５】
【数２】
2020520583.tif 000004
【００８６】
として生成することができる。
【００８７】
【数３】
2020520583.tif 000005
【００８８】
および
【００８９】
【数４】
2020520583.tif 000006
【００９０】
は、データ１およびデータ０のためのベースシーケンスであることができる。Ｄは、サイズがＭのＤＦＴ行列であることができ、０m×nは、ｍ行ｎ列のゼロ行列を表すことができる。ｈ、ａ、およびｔは、整数であることができる。図９においては、
ｈ≧１、
【００９１】
【数５】
2020520583.tif 000007
【００９２】
、および
【００９３】
【数６】
2020520583.tif 000008
【００９４】
であり、ここで、Ｎcpは、ＣＰのためのサンプル数であることができ、Ｎは、ＯＦＤＭシンボル内のサンプルの数（例えば、ＩＤＦＴサイズ）であることができる。データ１およびデータ０についての対応する信号を図９に示すことができる。ｈおよびｔの選択のために、ＣＰ持続時間（ＣＰ期間：CP duration）は、データ１および／またはデータ０の間よりも低いエネルギーを有することができる。ｓbase0は、ｓbase0に等しいことができる。
【００９５】
図１０は、特定のＣＰを考慮しない、ＤＦＴ−拡散ベースの整形シーケンスを用いるマンチェスタ符号化されたＯＯＫ信号形状構築についての例を示している。例えば、データ１シーケンスｄ1と、データ０シーケンスｄ0は、それぞれ
【００９６】
【数７】
2020520583.tif 000009
【００９７】
および
【００９８】
【数８】
2020520583.tif 000010
【００９９】
として生成することができ、ここで、ｈ≧１、および
【０１００】
【数９】
2020520583.tif 000011
【０１０１】
であり、Ｍは、ＤＦＴサイズであることができる。対応する信号包絡線を図１０に示すことができる。図１０に示されるように、整形された信号のいくらか、例えば、図１０におけるデータ０のために、いくらかのエネルギーを割り当てることができる。
【０１０２】
図１１は、ＣＰを考慮した、ＤＦＴ−拡散ベースの整形シーケンスを用いるマンチェスタ符号化されたＯＯＫ信号形状構築についての例を示している。ＣＰサンプルの数Ｎcpは、Ｎ／４に等しいことができる。データ１シーケンスｄ1と、データ０シーケンスｄ0は、それぞれ
【０１０３】
【数１０】
2020520583.tif 000012
【０１０４】
および
【０１０５】
【数１１】
2020520583.tif 000013
【０１０６】
として生成することができ、ここで、
【０１０７】
【数１２】
2020520583.tif 000014
【０１０８】
は、ベースシーケンスであることができる。時間における対応する信号を図１１に与えることができる。ＤＦＴの入力におけるシーケンスは、１回または複数回（例えば、４回）繰り返すことができる。時間における信号は、１回または複数回（例えば、４回）繰り返すことができる。Ｎcp＝Ｎ／４であるので、５回の反復が、発生することができる。
【０１０９】
直接ＯＯＫを使用することができる。例えば、時間におけるマンチェスタ符号化されたＯＯＫシンボルについての周波数における量子化されたアルファベットを、本明細書において説明されるように、使用することができる。
【０１１０】
例においては、ＩＤＦＴ操作後に、マンチェスタ符号化されたＯＯＫシンボルに似た形状（例えば、形状は、時間領域信号の絶対値、実部、もしくは虚部に基づいて、計算することができる）（または、例えば、時間における任意の望ましい形状／符号化）を与えることができるシーケンスは、Ｍ値ＱＡＭ（Ｍ−ＱＡＭ）および／もしくはＭ値ＰＳＫ（Ｍ−ＰＳＫ）を含むことができ、ならびに／または直流（ＤＣ）トーンに対処するために、ゼロを含むことができる。例えば、シーケンスの長さは、１３であることができる。シーケンスの第７の要素は、ゼロまたはヌルシンボルであることができる。要素の残りは、６４ＱＡＭコンスタレーションまたは６４ＰＳＫコンスタレーションに基づいて、決定することができる。
【０１１１】
図１２は、周波数領域における量子化されたアルファベットを使用する直接ＯＯＫシンボル生成についての例示的な図を示している。図１２に示されるように、Ｋ個のシーケンスを決定することができ、シーケンスは、コンスタレーションの要素、例えば、Ｍ−ＱＡＭ、Ｍ−ＰＳＫ、およびゼロシンボルを含むことができる。情報ビットは、シーケンスにマッピングすることができる。例えば、シーケンス１は、ビット１を表すことができ、シーケンス２は、ビット０を表すことができる。ビット１が送信される場合、シーケンス１の要素は、サブキャリアにマッピングすることができ、マッピングされたシーケンス１のＩＤＦＴが、計算されることができる。ＩＤＦＴの出力において、望ましい形状を獲得することができる。例えば、形状は、マンチェスタ符号化されたＯＯＫシンボルに似ることができる。ガードインターバルまたはサイクリックプレフィックス／ポストフィックスを、ＩＤＦＴの出力に添付する（例えば、送信前に添付する）ことができる。
【０１１２】
シーケンスは、１つまたは複数の異なる情報ビット、例えば、ビット１およびビット０を搬送することができる。異なる情報ビットを搬送するシーケンスは、異なる（例えば、完全に異なる）こと、または互いから導出することができる（例えば、これは、ハードウェアの複雑さを低減させることができる）。例えば、以下の例示的なシーケンスのうちの１つまたは複数を使用することができ、すなわち、ビット１またはビット０についてのシーケンスは、互いの共役であることができ、ビット１についてのシーケンスは、ビット０についてのシーケンスの逆順（order-wise reverse）であることができ、および／またはビット１についてのシーケンスは、ビット０についてのシーケンスの変調されたバージョンであることができる。
【０１１３】
例においては、ビット１またはビット０についてのシーケンスは、互いの共役であること、例えば、ｓbit1＝｛ａ0，ａ1，．．．，ａ12｝、および
【０１１４】
【数１３】
2020520583.tif 000015
【０１１５】
であることができる。時間領域における論理１シーケンスのＩＤＦＴ後に獲得される対応する形状は、論理０のための形状を導出するために、反転することができる。ビット１およびビット０についてのマンチェスタ符号化されたＯＯＫシンボルは、同じベースシーケンスを使用することによって、生成することができる。この例においては、ｘ（ｎ）＝ＩＤＦＴ（Ｘ（ｋ））、ｙ（ｎ）＝ＩＤＦＴ（Ｘ*（ｋ））、ｋ＝０，１，．．．，Ｎ−１、ｎ＝０，１，．．．，Ｎ−１であるとき、ｘ（ｎ）＝ｙ*（−ｎ）を利用することができる。
【０１１６】
例においては、ビット１についてのシーケンスは、ビット０についてのシーケンスの逆順（order-wise reverse）であること、例えば、ｓbit1＝｛ａ0，ａ1，．．．，ａ12｝、およびｓbit0＝｛ａ12，ａ11，．．．，ａ0｝であることができる。本明細書において説明される共役の例と同様に、時間領域における論理１シーケンスのＩＤＦＴ後に獲得される対応する形状は、論理０のために、反転することができる。ビット１およびビット０についてのマンチェスタ符号化されたＯＯＫシンボルは、同じベースシーケンスを使用することによって、生成することができる。この例においては、ｘ（ｎ）＝ＩＤＦＴ（Ｘ（ｋ））、ｙ（ｎ）＝ＩＤＦＴ（Ｘ（−ｋ））、ｋ＝０，１，．．．，Ｎ−１、ｎ＝０，１，．．．，Ｎ−１であるとき、ｘ（ｎ）＝ｙ（−ｎ）を利用することができる。
【０１１７】
例においては、ビット１についてのシーケンスは、ビット０についてのシーケンスの変調されたバージョンであること、例えば、ｓbit1＝｛ａ0，ａ1，．．．，ａ12｝、および
【０１１８】
【数１４】
2020520583.tif 000016
【０１１９】
であることができ、ここで、
【０１２０】
【数１５】
2020520583.tif 000017
【０１２１】
は、点対点の乗算である。この演算は、時間領域における元のシーケンスをＳだけシフトさせる（例えば、循環的にシフトさせる）ことができ、それは、マンチェスタ符号化されたＯＯＫシンボルを生成することができる。
【０１２２】
例においては、時間におけるマンチェスタ符号化されたＯＯＫシンボルは、直接ＯＯＫ手法を用いて生成することができる。例えば、長さが１３のシーケンスは、｛ａｌｐｈａｂｅｔM-QAM（ｉleft），０，ａｌｐｈａｂｅｔM-QAM（ｉright）｝であることができ、ここで、ａｌｐｈａｂｅｔM-QAM（・）は、Ｍ−ＱＡＭのコンスタレーションポイントの順序付けられたセットであることができ、ｉleftおよびｉrightは、シーケンスを生成するための（例えば、１２７、１２８、および／または１２９などの、リストにおいて与えられる）インデックスであることができる。シーケンスは、異なる基準に基づいて、最適化することができる。例においては、例えば、シーケンスの帯域外（ＯＯＢ）特性を改善するために（例えば、ＯＯＢ優先）、シーケンスの要素の和は、ゼロに等しいことができる。例においては、対応するマンチェスタ符号化されたＯＯＫシンボルの持続時間(duration)中における変動を最小化することができる（例えば、ピーク対平均電力比（ＰＡＰＲ）を優先）。例においては、マンチェスタ符号化されたＯＯＫシンボルのオフ時間（off duration）におけるエネルギーを最小化することができる（例えば、リーケージ優先）。本明細書において説明されるタイプのうちの１つまたは複数に基づいて、ビット１またはビット０のうちの一方を表す情報を含む、以下のシーケンスおよび／またはそれらの反転バージョンを送信することができる。
【０１２３】
例においては、１６ＱＡＭに基づいたシーケンスは、以下のように提供することができる。
【０１２４】
シーケンス＝｛ａｌｐｈａｂｅｔM-QAM（ｉleft），０，ａｌｐｈａｂｅｔM-QAM（ｉright）｝
【０１２５】
【表１】
2020520583.tif 000018
【０１２６】
【数１６】
2020520583.tif 000019
【０１２７】
ここで、正規化係数は、コンスタレーションのエネルギーを正規化することができ、ａ（ｎ）およびｂ（ｎ）は、表１において与えることができ、インデックスマッピングは、図１３に示されている。
【０１２８】
【表２】
2020520583.tif 000020
【０１２９】
例においては、６４ＱＡＭに基づいたシーケンスは、以下のように提供することができる。
【０１３０】
シーケンス＝｛ａｌｐｈａｂｅｔM-QAM（ｉleft），０，ａｌｐｈａｂｅｔM-QAM（ｉright）｝
【０１３１】
【表３】
2020520583.tif 000021
【０１３２】
【数１７】
2020520583.tif 000022
【０１３３】
ここで、正規化係数は、コンスタレーションのエネルギーを正規化することができ、ａ（ｎ）およびｂ（ｎ）は、表２において与えることができ、インデックスマッピングは、図１４に示されている。
【０１３４】
【表４−１】
2020520583.tif 000023
【０１３５】
【表４−２】
2020520583.tif 000024
【０１３６】
例においては、２５６ＱＡＭに基づいたシーケンスは、以下のように提供することができる。
【０１３７】
シーケンス＝｛ａｌｐｈａｂｅｔM-QAM（ｉleft），０，ａｌｐｈａｂｅｔM-QAM（ｉright）｝
【０１３８】
【表５】
2020520583.tif 000025
【０１３９】
【数１８】
2020520583.tif 000026
【０１４０】
ここで、正規化係数は、コンスタレーションのエネルギーを正規化することができ、ａ（ｎ）およびｂ（ｎ）は、表３において与えることができ、インデックスマッピングは、図１５に示されている。
【０１４１】
【表６−１】
2020520583.tif 000027
【０１４２】
【表６−２】
2020520583.tif 000028
【０１４３】
【表６−３】
2020520583.tif 000029
【０１４４】
【表６−４】
2020520583.tif 000030
【０１４５】
【表６−５】
2020520583.tif 000031
【０１４６】
【表６−６】
2020520583.tif 000032
【０１４７】
【表６−７】
2020520583.tif 000033
【０１４８】
例においては、本明細書において説明されるシーケンスの要素のうちの１つまたは複数（例えば、すべて）は、（例えば、周波数マッピング前の位相を調整するために）単位ノルム複素係数を乗算することができる。
【０１４９】
シーケンスの性能結果を図１６〜図１８に示すことができる。図１６〜図１８は、ビット誤り率（ＢＥＲ）、ＯＯＢ発射、ならびに１６、６４、お よび２５６ＱＡＭコンスタレーションを用いて直接ＯＯＫを通して生成されるビット１およびビット０についての対応する時間領域形状の例を示している。図１６〜図１８に示される例においては、ビット１についてのシーケンスは、ビット０についてのシーケンスの逆順（order-wise reverse）であることができる。
【０１５０】
例においては、シーケンスは複素数であることができる。例えば、シーケンス内の第ｎの要素の角度および振幅は、それぞれ、表４および表５において提供することができる。
【０１５１】
【表７】
2020520583.tif 000034
【０１５２】
【表８】
2020520583.tif 000035
【０１５３】
例においては、単一バンド送信のために設計されたシーケンスは、直交マルチバンド送信を獲得するために、サブキャリアの異なるグループにマッピングする（例えば、同時にマッピングする）ことができる。例えば、３つのバンドの送信を達成するために、長さが１３の第１、第２、および第３のシーケンスは、図１９に示されるように、（ＩＤＦＴサイズが６４であるときは）［−６，−５，．．．，６］＋２０、［−６，−５，．．．，６］、および［−６，−５，．．．，６］−２０トーンであることができる。図１９は、複数の局のためのデータを含む、例示的なマルチバンド直接ＯＯＫ送信を示している。例えば、第１のバンドは、ユーザ１のためのデータを含むことができ、第２のバンドは、ユーザ２のためのデータを含むことができ、第３のバンドは、ユーザ３のためのデータを含むことができる。（例えば、信頼性を増大させるために）周波数ホッピングを使用することができる。例えば、ユーザ１のデータは、第１のＯＯＫシンボルについては第１のバンド内に、第２のＯＯＫシンボルについては第２のバンド内に、第３のＯＯＫシンボルについては第３のバンド内にあることができる。
【０１５４】
マスキングベースのＯＯＫ手法のために、循環シフトされた信号を使用することができる。図２０は、マスキングを用いるＯＯＫシンボル生成の例示的な図を示している。
【０１５５】
例においては、（例えば、２位相偏移変調（ＢＰＳＫ）アルファベット、および各要素上におけるある一定の位相回転を用いる）整形シーケンスは、ＤＣトーンを許容することによって、周波数において、ＩＤＦＴの入力にマッピングすることができる。ＩＤＦＴの出力は、（例えば、信号の帯域外発射（ＯＯＢＥ）を低減させるために）マスキング操作の前に、シフト（例えば、循環シフト）することができる。例えば、マッピングの後、
整形シーケンスｓ１（または、例えば、時間において同じ振幅（例えば、形状）を与える等価のシーケンス）を、
ｓ１＝ｐ＊［１，１，１，−１，−１，−１，０，−１，１，−１，−１，１，−１］’
として定義することができ、ここで、ｐは、単位ノルム複素数（例えば、ｐ＝１、または
【０１５６】
【数１９】
2020520583.tif 000036
【０１５７】
）であることができ、ＩＤＦＴの出力は、１６または４８サンプルだけシフトすることができる。循環シフトを用いた場合および用いない場合の結果のＯＯＫ波形を図２１に示すことができる。循環シフトを用いるほうは、時間における変動を改善することができ、より滑らかなランプアップおよびランプダウン形状を生じることができる。ＯＯＢＥ特性を改善することができ、それが、送信機（ＴＸ）および／または受信機（ＲＸ）における必要とされるフィルタ長または次数を低減させることができる。
【０１５８】
例においては、周波数における対応するシーケンスを使用することができる。例えば、時間において１６および４８の循環シフトされた信号を与える対応するシーケンスは、それぞれ、
ｓ１Ｃ＿ａｌｔｅｒｎａｔｉｖｅ１６＝ｓ１’．＊ｅｘｐ（１ｉ＊２＊ｐｉ＊１６／６４＊［０：１２］’）、および
ｓ１Ｃ＿ａｌｔｅｒｎａｔｉｖｅ４８＝ｓ１’．＊ｅｘｐ（１ｉ＊２＊ｐｉ＊４８／６４＊［０：１２］’）
として獲得することができる。これらのシーケンスに対して、循環シフト操作を利用することはできない。
【０１５９】
例においては、例えば、マンチェスタ符号化を用いて、ＯＯＫシンボルを転送（transfer）するために、１つまたは複数（例えば、いくつか）のデータレート選択肢、例えば、高データレートおよび低データレートが、存在することができる。高データレート選択肢は、直接ＯＯＫ手法によって、獲得することができる。低データレート選択肢は、マスキングを用いないＩＤＦＴの出力を連結する（concatenate）ことによって、獲得することができる。ＯＯＢ発射を緩和するために、図２２に例示されるように、低データレート選択肢の場合、循環シフトされた信号については、ガードインターバル（ＧＩ）部分を省くことができる。図２２に示されるように、ＯＯＫシンボルの「オン」持続時間(on duration)は、ｓ１Ｃ＿ａｌｔｅｒｎａｔｉｖｅ１６またはｓ１Ｃ＿ａｌｔｅｒｎａｔｉｖｅ４８を通して生成することができる、２つのＯＦＤＭシンボルを含むことができ、（例えば、ビット１およびビット０を表すために）空白ガードインターバルを含むことができる。
【０１６０】
複数のユーザをウェイクアップさせる（例えば、複数のユーザを同時にウェイクアップさせる）ことは、送信機から送信されるマルチユーザウェイクアップ（ＭＵウェイクアップ）信号によって行うことができる。ＭＵウェイクアップ信号送信は、複数のユーザにブロードキャストすることができる。ＭＵウェイクアップ信号送信は、ユーザのサブセットにマルチキャストすることができる。ＭＵウェイクアップ信号送信は、（例えば、共通レガシプリアンブルを使用する、例えば、物理レイヤ多重化を用いて）複数のユーザにユニキャストすることができる。
【０１６１】
ＭＵ−ＷＵＲのためのシーケンスベースのＴＤＭされたＯＯＫシンボルについて、本明細書において説明することができる。以下のうちの１つまたは複数を使用して、複数のＷＵＲ受信をサポートすることができる。整形されたシンボル（例えば、マンチェスタ符号化を用いるＯＯＫシンボル、または用いないＯＯＫシンボル）を多重化することができる。整形されたシンボルは、時間において１つのＯＦＤＭシンボル持続時間(Symbol duration)内に多重化することができる。整形されたシンボル（例えば、マンチェスタ符号化を用いるＯＯＫシンボル、または用いないＯＯＫシンボル）は、周波数においてサブキャリアのセットを占有することができる。整形されたシンボルの例として、ＯＯＫシンボルを提示することができる。Ｋ値シンボル（例えば、図８において見られるような、Ｋ個の異なる整形された信号）などの、他のシンボルを、整形されたシンボルのために使用されることができる。
【０１６２】
整形されたシンボルと、他の無線のためのＱＡＭシンボルとの間の、周波数における多重化を達成することができる。整形されたサブキャリアのために、サブキャリアの特定のセットを使用することができる。例えば、ＱＡＭシンボルは、８０２．１１ａｘ  ＳＴＡのためであることができる。整形された信号は、複数の８０２．１１ｂａ  ＳＴＡのためであることができる。図２３は、他の８０２．１１シンボルと共存する、例示的なＭＵ  ＷＵＲを示している。
【０１６３】
各８０２．１１ｂａ  ＳＴＡについて、特定の時間において特定の形状に対応するシーケンスを割り当てることができる。以下のうちの１つまたは複数を適用することができる。（例えば、異なるシーケンスについての）時間における対応する形状の和は、ＯＦＤＭシンボルのある持続時間(duration)において、元の形状（または、例えば、類似の形状）を保つことができる。８０２．１１ｂａ受信機は、時間における特定の持続時間(duration)を注視ことによって、形状を検出することができる。異なるユーザについて多重化されたＯＯＫシンボルを生成するために、ＤＦＴベースのシーケンスの組み合わせを、ＯＦＤＭシンボルのあるサブキャリアにマッピングすることができる。異なる無線からの生成されたＯＯＫシンボルは、同じ周波数サブキャリアに入ることができる。
【０１６４】
例えば、図２４は、ＤＦＴベースの時分割多重化されたＯＯＫシンボルを用いた、３つの異なるＳＴＡについての３つのＯＯＫシンボルを多重化する例を示している。図２４においては、異なる８０２．１１ｂａ  ＳＴＡのついての３つのＯＯＫシンボルは、ＤＦＴ操作を用いて多重化することができる。図２４に見られるように、ＯＯＫシンボルは、ＤＦＴ（例えば、サイズがＭのＤＦＴ）の異なる入力を共用することによって、生成することができる。
【０１６５】
図２５は、ＤＦＴベースのシーケンスを用いた、３つの異なるＳＴＡについての３つのＯＯＫシンボルを多重化する例を示している。例えば、シーケンスは、図２５に示されるように、生成することができる。シーケンスは、異なる時間瞬間において、異なる形状を生成することができる。生成されたシーケンスは、図２５に示されるように、周波数において合算することができる。
【０１６６】
マルチユーザ環境において、各ＯＯＫシンボルは、独立のＯＯＫシンボル構造を有することができる。例えば、１つのＳＴＡについて、ＯＯＫシンボルは、マンチェスタ符号化などの、波形符号化方法を含むことができる。他のＳＴＡについて、ＯＯＫシンボルは、波形符号化を含まないことができる。
【０１６７】
ＯＯＫシンボルについてのスケジューリング情報および／または設定は、送信の前に伝達することができる。ＯＯＫシンボルについてのスケジューリング情報および／または設定は、送信の前にセットアップすることができる。ＯＯＫシンボルに関連するスケジューリング情報は、（例えば、ＭＡＣフレームを介して、制御チャネル上において）１次無線に送信することができる。
【０１６８】
ＭＵ−ＷＵＲのためのシーケンスベースのＦＤＭされたＯＯＫシンボルについて、本明細書において説明することができる。時間領域において複数の整形された信号を生成することができるシーケンスは、ＭＵ−ＷＵＲおよび／または他のユーザデータ（例えば、８０２．１１ａｘ）をサポートするために、周波数領域において多重化することができる。ＷＵＲ信号および／または他のユーザの信号は、互いに直交することができる。ＷＵＲ受信機は、対応するバンド内に配置されたそれらのＯＯＫシンボルを取得するために、異なるフィルタを使用することができる。図２６は、ＤＦＴベースのシーケンスを用いた、２つの異なるＳＴＡについての３つのＯＯＫシンボルを周波数において多重化する例を示している。図２６において、２つの異なるＷＵＲユーザは、ＤＦＴベースのシーケンスを介して生成された３つの整形された信号（例えば、ＯＯＫシンボル）を受信することができる。各ＷＵＲについてのシーケンスと、８０２．１１ａｘデータシンボルは、異なるサブキャリアにマッピングすることができる。
【０１６９】
ＭＵ−ＷＵＲフレーム構造について、本明細書において説明することができる。複数のユニキャストウェイクアップ信号について、本明細書において説明することができる。ＭＵウェイクアップ信号について、各ユーザのためのデータおよびプリアンブル情報は、図２７に示されるように、また本明細書において説明されるように、時間において連結する（concatenate in time）ことができる（例えば、ＭＵ−ＷＵＲのためのシーケンスベースのＴＤＭされたＯＯＫシンボル）。例えば、図２７は、時間領域多重化を用いた例示的なＭＵ−ＷＵＲ信号１を示している。各ＷＵＲ受信機は、プリアンブルにおいて搬送されるそれのＷＵＲ信号を探索する（例えば、継続的に探索する）ことができる（例えば、ＷＵＲ受信機は、送信についての情報を検出することができる）。信号の持続時間(duration)が、プリアンブルにおいて示される場合、ＷＵＲ受信機は、特定の信号がＷＵＲ受信機向けではないことをそれが識別した場合、信号持続時間(signal duration)の間、オフに切り換わることができる。
【０１７０】
各ユーザのためのデータおよびプリアンブル情報は、図２８に示され、本明細書において説明されるように、時間において連結する（concatenate in time）ことができる（例えば、ＭＵ−ＷＵＲのためのシーケンスベースのＦＤＭされたＯＯＫシンボル）。プリアンブル情報は、特定のユーザのためのデータと、時間において連結することができる。並列する周波数において、１つまたは複数ユーザを送信することができる。例えば、図２８は、周波数領域多重化を用いた例示的なＭＵ−ＷＵＲ信号２を示している。例えば、図２８に見られるように、ユーザ１およびユーザ２のための情報は、第１の周波数を使用することができ、ユーザ３およびユーザ４のための情報は、第２の周波数を使用することができる。例においては、各ＷＵＲ受信機は、（例えば、ＷＵＲ受信機が、事前決定された送信バンド内における送信上において、情報を検出したとしても）プリアンブルにおいて搬送することができるそれのＷＵＲ信号を探索する（例えば、継続的に探索する）ことができる。以下のうちの１つまたは複数を適用することができる。送信バンドは、固定することができ、ＷＵＲフレームセットアップ交換中に、ＳＴＡに伝達することができる。送信バンドは、変更することができる。ＳＴＡは、それの探索中に、複数のチャネルをスキャンする（例えば、複数のチャネルを同時にスキャンする）ことができる。ＷＵ信号は、ある時間に、１つのバンド上において、送信することができる。スキャニング回路と復号回路は、分離することができる。復号回路は、有効なウェイクアップ信号の識別時に、アクティブ化することができる。複数のチャネルのスキャニングを可能にするために、複数のスキャニング回路を実施することができる。フロントエンドにおいてフィルタ（例えば、広帯域バンドパスフィルタ）を用いる単一のスキャニング回路を使用することができる。
【０１７１】
完全なＷＵ信号の場合、ネットワークにおける他の無線からの保護のために、共通プリアンブル（例えば、レガシ８０２．１１デバイスによって検出可能および／または復号可能であることができる、レガシプリアンブル）を送信することができる。（例えば、ＷＵＲプリアンブルおよび／またはペイロードを含むことができる）ＷＵＲパケットは、時間または周波数において多重化することができる。例えば、図２９は、時間領域における多重化を用いた例示的なＭＵ−ＷＵＲ信号４を示している。
【０１７２】
ＭＵ−ＷＵＲについて、各ユーザのためのデータおよびプリアンブル情報は、図３０に示されるように、時間において連結する（concatenate in time）ことができる。プリアンブル情報は、特定のユーザと、時間において連結することができる。並列する周波数において、１つまたは複数ユーザを送信することができる。例えば、図３０は、ユーザ（例えば、シングルユーザ、例えば、図２７におけるユーザ１）に送信することができる、周波数領域多重化を用いた例示的なＭＵ−ＷＵＲ信号（例えば、ＭＵ−ＷＵＲ信号１）を示している。共通プリアンブルを送信する（例えば最初に送信する）ことができ、（例えばプリアンブルおよび／またはペイロードを含むことができる）信号は、周波数において多重化することができる。
【０１７３】
プリアンブル（例えば各ＷＵＲ受信機のための共通プリアンブル）は、ＷＵＲパケットを用いて、ＷＵＲ受信機に送信することができる。例えば、各ＷＵＲ受信機のために共通プリアンブルが送信される、マルチユーザケースについては、プリアンブルと、（例えば、ＷＵＲプリアンブルおよび／またはペイロードを含むことができる）ＷＵＲパケットは、周波数において多重化することができる。同じ（例えば、８０２．１１のレガシプリアンブル）であることができる、２つのプリアンブルを用いる例が、図３１に示されている。図３１に見られるように、共通プリアンブル（例えば、８０２．１１のレガシプリアンブル）は、干渉（例えば、８０２．１１局、８０２．１１送信機、および／または８０２．１１無線など、他の送信機からの干渉）から、ＷＵＲパケットを保護することができる。例えば、図３１は、周波数領域多重化を用いた例示的なＭＵ−ＷＵＲ信号２を示している。図３１に見られるように、ＷＵＲパケットは、共通プリアンブル（例えば、８０２．１１のレガシプリアンブル）よりも小さい帯域幅を有することができる。図３１に見られるように、ＷＵＲパケットは、互いに異なる、または互いに同じ広がりをもたない、共通プリアンブル帯域幅の一部を占有することができる。
【０１７４】
グループ化されたＷＵ信号について、本明細書において説明することができる。信号の全長の表示を有するＭＵプリアンブルインジケータを送信することができる。例えば、図３２は、時間領域多重化を用いた例示的なＭＵ−ＷＵＲ信号３を示している。信号は、ユニキャストすることができ、マルチユーザプリアンブルとグループ化することができる。ＷＵＲ−ＳＴＡが、プリアンブル情報をスキャンするための時間の長さを知ることを可能にするために、ＭＵプリアンブルを送信することができる。
【０１７５】
ＳＴＡについての情報を伴うグループ化されたＭＵのプリアンブルを、グループ内のＳＴＡが、ＷＵＲ信号が送信されていることを識別し、グループ宛ての情報を復号することを可能にするために、送信することができる。ＯＯＫシンボルは、いくつかまたはすべてのアドレス指定されたＳＴＡのための情報を有する、ＷＵＲ信号であることができる（例えば、図３３）。例えば、図３３は、共通ＷＵＲ信号における、例示的なＭＵ−ＷＵＲ信号４を示している。ＯＯＫシンボルは、いくつかまたはすべてのユーザのための共有情報と、各ユーザにマッピングされる別々のシンボルとを有するＷＵＲ信号であることができる（例えば、図３４）。例えば、図３４は、共通およびＳＴＡ固有のＷＵＲ信号における、例示的なＭＵ−ＷＵＲ信号５を示している。ＯＯＫシンボルは、共通プリアンブルと、アドレス指定されたＳＴＡの各々のための別々の情報だけを有するＷＵＲ信号であることができる（例えば、図３５）。例えば、図３５は、ＳＴＡ固有のＷＵＲ信号における、例示的なＭＵ−ＷＵＲ信号６を示している。別々のシンボルは、ＯＯＫプリアンブルを有することができ、またはＯＯＫプリアンブルを有さないことができる。
【０１７６】
上では特徴および要素を、特定の組み合わせまたは順序で説明することができたが、各特徴または要素は、単独で使用することができ、または他の特徴および要素との任意の組み合わせで使用することができることを当業者は理解されよう。加えて、本明細書において説明された方法は、コンピュータおよび／またはプロセッサによって実行される、コンピュータ可読媒体内に含まれる、コンピュータプログラム、ソフトウェア、またはファームウェアで実施することができる。コンピュータ可読媒体の例は、（有線または無線接続上において送信される）電子信号、およびコンピュータ可読記憶媒体を含む。コンピュータ可読記憶媒体の例は、限定されることなく、リードオンリメモリ（ＲＯＭ）、ランダムアクセスメモリ（ＲＡＭ）、レジスタ、キャッシュメモリ、半導体メモリデバイス、内蔵ハードディスクおよびリムーバブルディスクなどの磁気媒体、光磁気媒体、ならびにＣＤ−ＲＯＭディスクおよびデジタル多用途ディスク（ＤＶＤ）などの光媒体を含む。ソフトウェアと関連付けられたプロセッサを使用して、ＷＴＲＵ、ＵＥ、端末、基地局、ＲＮＣ、または任意のホストコンピュータにおいて使用される、無線周波数送受信機を実施することができる。
【図１Ａ】
2020520583.tif 000037
【図１Ｂ】
2020520583.tif 000038
【図１Ｃ】
2020520583.tif 000039
【図１Ｄ】
2020520583.tif 000040
【図２】
2020520583.tif 000041
【図３】
2020520583.tif 000042
【図４】
2020520583.tif 000043
【図５】
2020520583.tif 000044
【図６】
2020520583.tif 000045
【図７】
2020520583.tif 000046
【図８】
2020520583.tif 000047
【図９】
2020520583.tif 000048
【図１０】
2020520583.tif 000049
【図１１】
2020520583.tif 000050
【図１２】
2020520583.tif 000051
【図１３】
2020520583.tif 000052
【図１４】
2020520583.tif 000053
【図１５】
2020520583.tif 000054
【図１６】
2020520583.tif 000055
【図１７】
2020520583.tif 000056
【図１８】
2020520583.tif 000057
【図１９】
2020520583.tif 000058
【図２０】
2020520583.tif 000059
【図２１】
2020520583.tif 000060
【図２２】
2020520583.tif 000061
【図２３】
2020520583.tif 000062
【図２４】
2020520583.tif 000063
【図２５】
2020520583.tif 000064
【図２６】
2020520583.tif 000065
【図２７】
2020520583.tif 000066
【図２８】
2020520583.tif 000067
【図２９】
2020520583.tif 000068
【図３０】
2020520583.tif 000069
【図３１】
2020520583.tif 000070
【図３２】
2020520583.tif 000071
【図３３】
2020520583.tif 000072
【図３４】
2020520583.tif 000073
【図３５】
2020520583.tif 000074
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
送信デバイスであって、
第１の周波数範囲を使用して、共通プリアンブルを送信するよう構成された送信機を備え、
前記送信機は、前記第１の周波数範囲を使用する前記共通プリアンブルの後に、第１のウェイクアップ無線（ＷＵＲ）パケットを第１のＷＵＲ受信機に送信するよう構成され、前記第１のＷＵＲパケットと関連付けられた帯域幅は、前記共通プリアンブルと関連付けられた帯域幅よりも小さく、
前記送信機は、第２の周波数範囲を使用して、前記共通プリアンブルを送信するよう構成され、
前記送信機は、前記第２の周波数範囲を使用する前記共通プリアンブルの後に、第２のＷＵＲパケットを第２のＷＵＲ受信機に送信するよう構成され、前記第２のＷＵＲパケットと関連付けられた帯域幅は、前記共通プリアンブルと関連付けられた帯域幅よりも小さく、前記第２のＷＵＲパケットと関連付けられた周波数範囲は、前記第１のＷＵＲパケットと関連付けられた周波数範囲と異なっている
送信デバイス。
【請求項２】
前記送信機は、前記共通プリアンブルの後、直交振幅変調（ＱＡＭ）シンボルを送信するようにさらに構成され、前記ＱＡＭシンボルは、前記第１のＷＵＲパケットと周波数分割多重化される請求項１に記載の送信デバイス。
【請求項３】
前記共通プリアンブルは、ＷＵＲパケットを他の送信デバイスによって起こされる干渉から保護する請求項１に記載の送信デバイス。
【請求項４】
前記第１のＷＵＲパケットは、８０２．１１ｂａプリアンブルと、ＷＵＲ情報とを含む請求項１に記載の送信デバイス。
【請求項５】
前記第１のＷＵＲパケットと関連付けられたＷＵＲ信号は、シーケンスを介して生成され、前記シーケンスは、直交周波数分割多重化（ＯＦＤＭ）されたシンボルと関連付けられたサブキャリアのセットにマッピングされる請求項１に記載の送信デバイス。
【請求項６】
前記第１のＷＵＲパケットを送信するのに使用される前記第１の周波数範囲の一部は、前記第１の周波数範囲の中のセンターに位置する請求項１に記載の送信デバイス。
【請求項７】
第１の周波数範囲を使用して、共通プリアンブルを送信するステップと、
前記第１の周波数範囲を使用する前記共通プリアンブルの後に、第１のウェイクアップ無線（ＷＵＲ）パケットを第１のＷＵＲ受信機に送信するステップであって、前記第１のＷＵＲパケットと関連付けられた帯域幅は、前記共通プリアンブルと関連付けられた帯域幅よりも小さい、ステップと、
第２の周波数範囲を使用して、前記共通プリアンブルを送信するステップと、
前記第２の周波数範囲を使用する前記共通プリアンブルの後に、第２のＷＵＲパケットを第２のＷＵＲ受信機に送信するステップであって、前記第２のＷＵＲパケットと関連付けられた帯域幅は、前記共通プリアンブルと関連付けられた帯域幅よりも小さく、前記第２のＷＵＲパケットと関連付けられた周波数範囲は、前記第１のＷＵＲパケットと関連付けられた周波数範囲と異なる、ステップと
を備える方法。
【請求項８】
前記共通プリアンブルの後、直交振幅変調（ＱＡＭ）シンボルを送信するステップをさらに備え、前記ＱＡＭシンボルは、前記第１のＷＵＲパケットと周波数分割多重化される請求項７に記載の方法。
【請求項９】
前記共通プリアンブルは、ＷＵＲパケットを他の送信デバイスによって起こされる干渉から保護する請求項７に記載の方法。
【請求項１０】
前記第１のＷＵＲパケットは、８０２．１１ｂａプリアンブルと、ＷＵＲ情報とを含む請求項７に記載の方法。
【請求項１１】
前記第１のＷＵＲパケットと関連付けられたＷＵＲ信号は、シーケンスを介して生成され、前記シーケンスは、直交周波数分割多重化（ＯＦＤＭ）されたシンボルと関連付けられたサブキャリアのセットにマッピングされる請求項７に記載の方法。
【請求項１２】
前記第１のＷＵＲパケットを送信するのに使用される前記第１の周波数範囲の一部は、前記第１の周波数範囲の中のセンターに位置する請求項７に記載の方法。
【国際調査報告】
2020520583.tif 000075
2020520583.tif 000076